(57)【要約】【課題】報知演出における演出図柄の確定態様に応じて遊技者の期待感を持続させることのできる遊技機を提供する。【解決手段】図柄連続予告演出では、保留乱数であるターゲット保留が記憶されると、ターゲット保留に基づく先読み情報であるターゲット先読み情報が取得される。取得されたターゲット先読み情報の示す大当たり判定の判定結果の期待値に応じて、ターゲット保留に対して実行される報知演出であるターゲット演出における演出図柄の確定表示態様が決定される。決定されたターゲット演出の確定表示態様に応じて、ターゲット演出よりも先に実行される保留報知演出における演出図柄の確定表示態様が決定される。【選択図】図１２
2019209214.tif 000002
【特許請求の範囲】
【請求項１】
遊技盤上に設けられた一または複数の始動口と、
前記始動口へ遊技球が入賞することを契機として、遊技者にとって有利な大当たり遊技を実行するか否かを決定するための大当たり乱数を含む一または複数の乱数を取得する乱数取得手段と、
前記乱数取得手段によって取得された前記大当たり乱数に基づいて、前記大当たり遊技を実行するか否かの判定を実行する大当たり判定手段と、
少なくとも一の図柄を変動表示させた後に、前記大当たり判定手段による判定の結果を示す前記図柄である確定図柄を停止表示することによって、前記大当たり判定手段による判定結果を遊技者に報知する演出である報知演出を実行する報知演出実行手段と、
前記報知演出実行手段によって前記報知演出が実行されている間に前記乱数取得手段によって取得された前記乱数を、前記大当たり判定手段による判定が保留された保留乱数として順次記憶する乱数記憶手段と、
前記乱数記憶手段に記憶された前記保留乱数に基づく一または複数の情報からなる先読み情報を、前記保留乱数に対して前記大当たり判定手段による判定が実行されるよりも前に取得する情報取得手段と、
前記情報取得手段によって前記保留乱数である第一保留乱数から取得された前記先読み情報である第一先読み情報に基づいて、前記第一保留乱数に対して前記報知演出実行手段によって実行される前記報知演出である第一報知演出における前記確定図柄である第一確定図柄を決定する第一決定手段と、
前記第一決定手段によって決定された前記第一確定図柄に応じて、前記報知演出実行手段によって前記第一報知演出よりも先に実行される一または複数の前記報知演出である第二報知演出の態様を決定する第二決定手段と、
前記第一決定手段によって前記第一確定図柄が決定された時点に前記乱数記憶手段によって記憶されている前記保留乱数の数及び前記第一先読み情報に応じた前記第二報知演出の前記確定図柄である第二確定図柄のパターンを複数定義するパターン記憶手段と
を備え、
前記第二決定手段は、前記パターン記憶手段によって記憶されている複数の前記第二確定図柄のパターンを参照して、前記第二報知演出の態様として、前記第二確定図柄を決定することを特徴とする遊技機。
【請求項２】
前記図柄は、遊技者が有利となる期待値の異なる複数の種別に分類可能であり、
前記確定図柄は、所定のリーチ状態を構成して停止表示されるリーチ図柄と、前記リーチ図柄よりも後に停止表示される最終停止図柄とを含み、
前記第一決定手段は、前記第一確定図柄の前記リーチ図柄である第一リーチ図柄を少なくとも決定し、
前記第二決定手段は、前記第二確定図柄の前記最終停止図柄を、前記第一リーチ図柄を構成する前記図柄と同種の前記期待値の前記図柄、または前記第一リーチ図柄を構成する前記図柄よりも前記期待値の低い前記図柄に決定することを特徴とする請求項１に記載の遊技機。
【発明の詳細な説明】
【技術分野】
【０００１】
本発明は、図柄を用いた演出を実行する遊技機に関する。
【背景技術】
【０００２】
従来、図柄を用いた演出を実行する遊技機が知られている。特許文献１に開示された遊技機は、主制御処理部の特図種類決定処理部において、第２特図遊技の開始時である第２特図の変動開始時に、第２特図の停止図柄を決定する。主制御処理部は、第２特図の停止図柄を指定する第２特図種類コマンドをサブ制御処理部に送信する。また、主制御処理部は、今回の特図遊技（大当たり判定の結果を報知する報知演出）の開始よりも前から保留されている特図保留乱数に対する当否先読み判定の結果が先読み当たりであることを示す当否先読みコマンドをサブ制御処理部に送信する。その後、サブ制御処理部の演出態様決定部において、第２特図種類コマンドと、当否先読みコマンドの受信の有無とに基づいて、特図遊技における演出図柄の停止図柄が決定される。
【先行技術文献】
【特許文献】
【０００３】
【特許文献１】特開２０１４−１６１３６５号公報
【発明の概要】
【発明が解決しようとする課題】
【０００４】
しかしながら、特許文献１に記載の遊技機が演出図柄を用いて遊技者の期待感を向上できるのは、上記の保留連予告演出において停止図柄を表示させる間のみである。従来の遊技機は、報知演出における演出図柄の確定表示態様を報知演出の開始時に決定しているので、保留乱数に対応して後に実行が予定されている報知演出における演出図柄の停止図柄に応じた演出を、その報知演出よりも先に実行することができない。このため、従来の遊技機には、演出図柄の確定態様に応じて遊技者の期待感を持続させる演出の実行に限界があるという問題がある。
【０００５】
本発明は、報知演出における演出図柄の確定態様に応じて遊技者の期待感を持続させることのできる遊技機を提供することを目的とする。
【課題を解決するための手段】
【０００６】
本発明に係る遊技機は、遊技盤上に設けられた一または複数の始動口と、前記始動口へ遊技球が入賞することを契機として、遊技者にとって有利な大当たり遊技を実行するか否かを決定するための大当たり乱数を含む一または複数の乱数を取得する乱数取得手段と、前記乱数取得手段によって取得された前記大当たり乱数に基づいて、前記大当たり遊技を実行するか否かの判定を実行する大当たり判定手段と、少なくとも一の図柄を変動表示させた後に、前記大当たり判定手段による判定の結果を示す前記図柄である確定図柄を停止表示することによって、前記大当たり判定手段による判定結果を遊技者に報知する演出である報知演出を実行する報知演出実行手段と、前記報知演出実行手段によって前記報知演出が実行されている間に前記乱数取得手段によって取得された前記乱数を、前記大当たり判定手段による判定が保留された保留乱数として順次記憶する乱数記憶手段と、前記乱数記憶手段に記憶された前記保留乱数に基づく一または複数の情報からなる先読み情報を、前記保留乱数に対して前記大当たり判定手段による判定が実行されるよりも前に取得する情報取得手段と、前記情報取得手段によって前記保留乱数である第一保留乱数から取得された前記先読み情報である第一先読み情報に基づいて、前記第一保留乱数に対して前記報知演出実行手段によって実行される前記報知演出である第一報知演出における前記確定図柄である第一確定図柄を決定する第一決定手段と、前記第一決定手段によって決定された前記第一確定図柄に応じて、前記報知演出実行手段によって前記第一報知演出よりも先に実行される一または複数の前記報知演出である第二報知演出の態様を決定する第二決定手段と、前記第一決定手段によって前記第一確定図柄が決定された時点に前記乱数記憶手段によって記憶されている前記保留乱数の数及び前記第一先読み情報に応じた前記第二報知演出の前記確定図柄である第二確定図柄のパターンを複数定義するパターン記憶手段とを備え、前記第二決定手段は、前記パターン記憶手段によって記憶されている複数の前記第二確定図柄のパターンを参照して、前記第二報知演出の態様として、前記第二確定図柄を決定することを特徴とする。
【０００７】
本発明に係る遊技機において、第一保留乱数に対して実行される第一報知演出の第一確定図柄が、第一保留乱数に対して大当たり判定手段による判定が実行されるよりも前に、第一先読み情報に基づいて決定される。このため、本発明に係る遊技機は、第一報知演出よりも先に実行される第二報知演出の態様を、第一報知演出における第一確定図柄に応じて決定することができる。第二決定手段は、パターン記憶手段によって記憶されている複数の第二確定図柄のパターンを参照して第二確定図柄を決定する。第二確定図柄のパターンは、保留乱数の数及び第一先読み情報に応じて定義されているので、本発明に係る遊技機は、報知演出の第二確定図柄に対して遊技者の注目を集めることができる。したがって、本発明に係る遊技機は、報知演出における演出図柄の確定態様に応じて遊技者の期待感を持続させることができる。
【０００８】
前記図柄は、遊技者が有利となる期待値の異なる複数の種別に分類可能であり、前記確定図柄は、所定のリーチ状態を構成して停止表示されるリーチ図柄と、前記リーチ図柄よりも後に停止表示される最終停止図柄とを含み、前記第一決定手段は、前記第一確定図柄の前記リーチ図柄である第一リーチ図柄を少なくとも決定し、前記第二決定手段は、前記第二確定図柄の前記最終停止図柄を、前記第一リーチ図柄を構成する前記図柄と同種の前記期待値の前記図柄、または前記第一リーチ図柄を構成する前記図柄よりも前記期待値の低い前記図柄に決定してもよい。
【０００９】
この場合、第二決定手段は、第一リーチ図柄を構成する図柄と同等または第一リーチ図柄を構成する図柄よりも低い期待値の図柄を第二確定図柄の最終停止図柄に決定するので、第一リーチ図柄の期待値が第二確定図柄の最終停止図柄の期待値よりも低くならない。このため、遊技機は、第二報知演出の実行によって、第一報知演出へ向けて遊技者の期待感を低下させることなく、第一報知演出に対する期待感を持続させることができる。
【図面の簡単な説明】
【００１０】
【図１】パチンコ機１の正面図である。
【図２】遊技盤２の正面図である。
【図３】パチンコ機１の電気的構成を示すブロック図である。
【図４】ＲＡＭ５２の第一大当たり関係情報記憶エリアを示す概念図である。
【図５】ＲＯＭ５３に記憶されている特別図柄決定テーブルの概念図である。
【図６】ＲＯＭ５３に記憶されている変動パターン決定テーブルの概念図である。
【図７】主基板４１において行われるメイン処理のフローチャートである。
【図８】メイン処理の中において行われる特別図柄処理のフローチャートである。
【図９】メイン処理の中において行われる特別図柄処理のフローチャートである。
【図１０】メイン処理の中において行われる特別図柄処理のフローチャートである。
【図１１】特別図柄処理の中において行われる乱数先読み処理のフローチャートである。
【図１２】図柄連続予告演出について説明するための説明図である。
【図１３】ＲＯＭ５８３に記憶されている先読み大当たりターゲット図柄決定テーブルの概念図である。
【図１４】ＲＯＭ５８３に記憶されている先読みはずれターゲット図柄決定テーブルの概念図である。
【図１５】ＲＯＭ５８３に記憶されているシナリオテーブルの概念図である。
【図１６】ＲＯＭ５８３に記憶されている最終停止図柄決定テーブルの概念図である。
【図１７】サブ制御基板５８において行われるサブ制御基板処理のフローチャートである。
【図１８】サブ制御基板処理の中において行われる演出図柄決定処理のフローチャートである。
【図１９】サブ制御基板処理の中において行われる報知演出制御処理のフローチャートである。
【図２０】報知演出制御処理の中において行われるリーチ図柄決定処理のフローチャートである。
【図２１】図柄連続予告演出における表示画面２８の一例を示す図である。
【図２２】図柄連続予告演出における表示画面２８の一例を示す図である。
【図２３】図柄連続予告演出における表示画面２８の一例を示す図である。
【図２４】図柄連続予告演出における表示画面２８の一例を示す図である。
【図２５】図柄連続予告演出における表示画面２８の一例を示す図である。
【図２６】図柄連続予告演出における表示画面２８の一例を示す図である。
【発明を実施するための形態】
【００１１】
以下、本発明に係る遊技機の第一の実施形態であるパチンコ機１について、図面を参照して説明する。まず、図１および図２を参照して、パチンコ機１の機械的構成について説明する。
【００１２】
図１に示すように、パチンコ機１の上半分の部分には遊技盤２が設けられている。遊技盤２は正面視略正方形の板状であり（図２参照）、透明なガラス板を保持した前面枠１３によって前面を保護されている。遊技盤２の下部には上皿５が設けられている。上皿５は、遊技球発射装置３７（図３参照）に金属製の遊技球を供給し、且つ賞球を受ける。上皿５の上面には、遊技者によって操作される操作ボタン９が設けられている。上皿５の直下には、賞球を受ける下皿６が設けられている。下皿６の右横には、遊技球の発射を調整する発射ハンドル７が設けられている。発射ハンドル７は、遊技者が回転操作できるように設けられており、遊技者が発射ハンドル７を回転させて発射操作を行うと、発射ハンドル７の回転角度に応じた強度で、遊技球発射装置３７によって遊技球が発射される。前面枠１３の上部の左右の角には、スピーカ４８がそれぞれ設けられている。
【００１３】
図２に示すように、遊技盤２の前面には、ガイドレール３で囲まれた略円形の遊技領域４が形成されている。遊技球発射装置３７（図３参照）によって発射された遊技球は、ガイドレール３によって遊技領域４へ導かれ、遊技領域４内を流下する。遊技領域４は、発射ハンドル７の発射強度に応じて、遊技球が流下する度合いを互いに異にする第一遊技領域４Ｌと第二遊技領域４Ｒとを備えている。第一遊技領域４Ｌは、パチンコ機１に正対した遊技者から見て遊技領域４の左側に位置し、第二遊技領域４Ｒは、遊技者から見て遊技領域４の右側に位置している。ガイドレール３は遊技領域４の左側に形成されている。発射ハンドル７によって所定の強度以上の発射強度で発射された遊技球は第二遊技領域４Ｒを流下し（例えば図２の矢印１１参照）、所定の強度未満の発射強度で発射された遊技球は第一遊技領域４Ｌを流下する（例えば図２の矢印１０参照）。以下、矢印１０に示すように遊技球を発射することを「左打ち」と、矢印１１に示すように遊技球を発射することを「右打ち」という。
【００１４】
遊技領域４の略中央には、各種演出を実行する演出装置８が設けられている。演出装置８は、ＬＣＤからなる表示画面２８を中央に備える。表示画面２８は様々な映像を表示するが、特に大当たり判定の結果を遊技者に報知する演出用の図柄である演出図柄８０（図２５参照）を表示する。パチンコ機１は、複数（本実施形態では３つ）の演出図柄８０を変動させた後に、大当たり判定の結果を示す演出図柄８０の組合せを確定表示させる報知演出を実行することで、大当たり判定の結果を遊技者に報知する。
【００１５】
演出装置８において、表示画面２８の上方に可動役物３０が設けられている。可動役物３０は、可動部を動作させることで各種演出を行う。演出装置８の右下部には普通図柄作動ゲート１２が設けられている。演出装置８の下方には第一始動口１４および第二始動口１５が設けられており、その下方には大入賞口１６が設けられている。第二始動口１５は、普通電動役物（普通当たり判定の結果に基づき入賞口の入り口の大きさを変化させる役物）としての開閉部材を備え、開閉部材が開放された場合にのみ第二始動口１５の入り口が開放され、遊技球は第二始動口１５に入賞できる。なお、第二始動口１５は、開閉部材が閉鎖された閉鎖状態にも遊技球の入賞が可能であって、開閉部材が開放されることで閉鎖状態よりも遊技球が入賞容易となる構成であってもよい。大入賞口１６も開閉部材を備え、開閉部材が開放された場合にのみ、遊技球は大入賞口１６に入賞できる。各開閉部材はソレノイドによって電気的に開閉される。さらに遊技盤２には、上記以外に各種の電飾ランプ、入賞口、風車、および遊技くぎ等が設けられている。
【００１６】
本実施形態では、普通図柄作動ゲート１２を通過する遊技球は、右打ちによって第二遊技領域４Ｒを流下した遊技球が大半であり、左打ちによって第一遊技領域４Ｌを流下した遊技球が普通図柄作動ゲート１２を通過することは困難である。第一始動口１４、第二始動口１５および大入賞口１６は、左打ちによって第一遊技領域４Ｌを流下した遊技球と右打ちによって第二遊技領域４Ｒを流下した遊技球のいずれもが入賞可能に配置されている。このうち第一始動口１４については、入賞口および遊技くぎ等の配置により、左打ちによって第一遊技領域４Ｌを流下した遊技球の方が、右打ちによって第二遊技領域４Ｒを流下した遊技球よりも入賞しやすい配置となっている。また第二始動口１５および大入賞口１６については、入賞口および遊技くぎ等の配置により、右打ちによって第二遊技領域４Ｒを流下した遊技球の方が、左打ちによって第一遊技領域４Ｌを流下した遊技球よりも入賞しやすい配置となっている。
【００１７】
遊技盤２の右下部には、大当たり判定の結果および保留球数等を表示する図柄表示部２４が設けられている。図柄表示部２４は、第一特別図柄表示部、第二特別図柄表示部、普通図柄表示部、第一特別図柄記憶数表示ＬＥＤ、第二特別図柄記憶数表示ＬＥＤおよび普通図柄記憶数表示ＬＥＤを備える。第一特別図柄表示部および第二特別図柄表示部は、それぞれ１つの７セグメントＬＥＤからなり、第一大当たり判定および第二大当たり判定の結果を示す第一特別図柄および第二特別図柄を表示する。以下、第一大当たり判定および第二大当たり判定を総称する場合、またはいずれかを特定しない場合、大当たり判定ともいう。普通図柄表示部は、ＬＥＤの点灯および消灯によって普通当たり判定の結果を表示する。第一特別図柄記憶数表示ＬＥＤおよび第二特別図柄記憶数表示ＬＥＤは、大当たり判定の結果がまだ表示されていない遊技球の個数（所謂「特別図柄保留球数」）を表示する。普通図柄記憶数表示ＬＥＤは、普通当たり判定の結果がまだ表示されていない遊技球の個数（所謂「普通図柄保留球数」）を表示する。
【００１８】
次に、パチンコ機１における遊技の流れについて概略的に説明する。パチンコ機１には、大当たり遊技、および普通当たり遊技が設けられている。パチンコ機１では、大当たり判定において「大当たり」と判定されると、大当たり遊技が行われる。パチンコ機１は、１回の大当たり遊技中に、所定条件を満たすまで大入賞口１６へ遊技球が入賞可能な状態が維持されるラウンドを、予め定められた回数だけ繰り返す。所定条件とは、例えば、大入賞口１６が開放されてから規定数の遊技球が入賞するか、または大入賞口１６が開放されてから規定時間が経過することである。パチンコ機１は、大当たり判定において「大当たり」と判定される大当たり確率が約１／３００である非確率変動状態と、約１／６０である確率変動状態とを、大当たり遊技の終了後に生起させることができる。また、第二始動口１５の開閉部材が開放される割合が通常の割合である非時短状態と、非時短状態よりも第二始動口１５の開閉部材が開放される割合が高くなる時短状態とを、大当たり遊技の終了後に生起させることができる。パチンコ機１は、これらの組合せにより、「非確率変動非時短状態」（以下、「通常状態」という。）「確率変動時短状態」（以下、「確変時短状態」という。）、および「非確率変動時短状態」（以下、「非確変時短状態」という。）の三種類の遊技状態を生起する。ただし、この実施形態に限られず、パチンコ機１は、例えば、「確率変動非時短状態」等を含む四種類以上の遊技状態を生起してもよい。また、パチンコ機１は、二種類以下の遊技状態を生起するものであってもよい。
【００１９】
本実施形態では、大当たり遊技の終了後に確率変動状態が生起された場合、同時に時短状態が生起される。生起された確率変動状態および時短状態は、大当たり遊技の終了後から次回の大当たり遊技が開始されるまで継続する。つまり、本実施形態において大当たり遊技の終了後に生起された「確率変動時短状態」は、大当たり遊技の終了後から次回の大当たり遊技が開始されるまで継続する。
【００２０】
また、大当たり遊技の終了後に確率変動状態が生起されず、且つ、時短状態が生起される場合がある。この場合、生起された時短状態は、大当たり遊技の終了後から次回の大当たり遊技の実行開始まで、または、第一大当たり判定の回数と第二大当たり判定の回数との和（以下、「判定回数」という。）が規定回数（以下、「時短回数」という。）に達するまで継続する。本実施形態では、時短回数は１００回である。つまり、パチンコ機１の「非確率変動時短状態」は、大当たり遊技終了後における判定回数が時短回数に達すること、または大当たり遊技の終了後に次回の大当たり遊技が開始されることによって終了する。上記の終了条件を満たすことで、遊技状態は「非確率変動時短状態」から「通常状態」へ移行する。なお、時短回数は、本実施形態の１００回に限られず、遊技性に応じた種々の回数を設定できる。例えば、パチンコ機１は、大当たりと判定された際に決定される特別図柄と、大当たり判定時に生起されている遊技状態とに応じて、大当たり遊技終了後に生起する時短状態の時短回数を、複数の時短回数の中から決定してもよい。
【００２１】
「非確率変動時短状態」および「確率変動時短状態」は、大当たり遊技開始時に終了する。即ち、大当たり遊技状態中には、「通常状態」が生起される。このため、判定回数および時短回数の計数は、大当たり遊技の開始によってクリアされる。なお、確率変動状態の終了条件は、本実施形態の例に限られない。例えば、大当たり遊技の終了後に生起された確率変動状態が、判定回数が所定の回数に達することで終了する所謂回数切り確変機能を有する遊技機であってもよい。また、パチンコ機１は、大入賞口１６の内部に特定の領域を設け、大当たり遊技中に遊技球が特定の領域を通過することを条件として、大当たり遊技終了後に確率変動状態を生起することとしてもよい。また、パチンコ機１は、１回の大当たり判定毎に確率変動状態を終了させる転落抽選を行い、転落抽選に当選した場合に確率変動状態を終了させてもよい。
【００２２】
次いで、普通当たり遊技について説明する。遊技球が普通図柄作動ゲート１２を通過することを契機として、普通当たり判定が行われる。時短状態において普通当たりと判定される確率（本実施形態では９９／１００）は、非時短状態において普通当たりと判定される確率（本実施形態では４／１００）よりも高い。また、普通当たり遊技中の第二始動口１５の開閉部材の最大開放時間は、非時短状態（本実施形態では０．２秒）よりも時短状態（本実施形態では４．２秒）の方が長い。さらに、普通図柄の変動時間は、非時短状態における変動時間（本実施形態では１０秒）よりも時短状態における変動時間（本実施形態では２秒）の方が短い。当たりを示す普通図柄が図柄表示部２４の普通図柄表示部に確定表示された後に、第二始動口１５の開閉部材が開放される。時短状態である「確率変動時短状態」および「非確率変動時短状態」では、第二始動口１５の開閉部材が開放される割合が非時短状態よりも高くなる。この結果、時短状態においては、第一始動口１４よりも第二始動口１５に容易に遊技球を入賞させることができる。したがって、時短状態中は、右打ちによって遊技を進行することが、左打ちによって遊技を進行するよりも遊技者にとって有利となる。一方、非時短状態である「通常状態」では、第二始動口１５の開閉部材が開放される割合が時短状態よりも低くなるため、第二始動口１５よりも第一始動口１４に容易に遊技球を入賞させることができる。したがって、非時短状態においては、左打ちによって遊技を進行することが、右打ちによって遊技を進行するよりも遊技者にとって有利となる。なお、パチンコ機１は、遊技状態によらず、左打ちによって遊技を進行することが、右打ちによって遊技を進行するよりも遊技者にとって有利である遊技機であってもよい。
【００２３】
図３を参照して、パチンコ機１の電気的構成について説明する。パチンコ機１の制御部４０は、主基板４１、サブ制御基板５８、ランプドライバ基板４６、演出制御基板４３、払出制御基板４５、中継基板４７、および電源基板４２を主に備える。
【００２４】
主基板４１は、パチンコ機１の主制御を司る。主基板４１は、主基板ＣＰＵユニット５０を備える。主基板ＣＰＵユニット５０は、各種の演算処理を行うＣＰＵ５１と、データを一時的に記憶するＲＡＭ５２と、制御プログラム等を記憶したＲＯＭ５３とを備える。主基板ＣＰＵユニット５０は、割込信号発生回路５７と電気的に接続する。主基板４１は、割込信号発生回路５７から割込信号が入力される毎にプログラムを実行する。
【００２５】
主基板４１は、Ｉ／Ｏインタフェイス５４を介して、サブ制御基板５８、払出制御基板４５、中継基板４７、出力ポート５５、第一始動口スイッチ７２、および第二始動口スイッチ７３と電気的に接続する。出力ポート５５は、図示しない遊技場管理用コンピュータにパチンコ機１の各種情報を出力する。第一始動口スイッチ７２は、第一始動口１４に入賞した遊技球を検出する。第二始動口スイッチ７３は、第二始動口１５に入賞した遊技球を検出する。
【００２６】
サブ制御基板５８は、主基板４１から送信されるコマンドに従って、演出等の総合的な制御を行う。サブ制御基板５８は、ＣＰＵ５８１、ＲＡＭ５８２、およびＲＯＭ５８３を備え、ランプドライバ基板４６、演出制御基板４３、操作ボタン９、およびスピーカ４８と電気的に接続する。ランプドライバ基板４６は、演出装置８の各種照明の動作および可動役物３０の動作等を制御する。演出制御基板４３は、ＣＰＵ４３１、ＣＧＲＯＭ４３２等を備え、サブ制御基板５８から受信するコマンドに従って表示画面２８の表示を制御する。
【００２７】
払出制御基板４５は、ＣＰＵ４５ａ等を備える。払出制御基板４５は、主基板４１から送信されるコマンドに応じて賞球払出装置４９の動作を制御し、遊技球の入賞に応じた所定数の遊技球を賞球として払い出させる。
【００２８】
中継基板４７は、普通電動役物開閉ソレノイド６９、大入賞口開閉ソレノイド７０、普通図柄作動スイッチ７４、大入賞口スイッチ７５および図柄表示部２４と、電気的に接続する。普通電動役物開閉ソレノイド６９は、普通当たり遊技中に第二始動口１５の開閉部材を開閉する。大入賞口開閉ソレノイド７０は、大当たり遊技中に大入賞口１６の開閉部材を開閉する。普通図柄作動スイッチ７４は、普通図柄作動ゲート１２を通過した遊技球を検出する。大入賞口スイッチ７５は、大入賞口１６に入賞した遊技球を検出する。
【００２９】
電源基板４２は、主基板４１および遊技球発射装置３７と電気的に接続し、各基板および遊技球発射装置３７に直流の安定化した電力を供給する。遊技球発射装置３７は、一定間隔（本実施形態では０．６秒）毎に、遊技球を１個ずつ遊技領域４へ向けて発射する。
【００３０】
図４を参照して、ＲＡＭ５２の第一大当たり関係情報記憶エリアについて説明する。第二大当たり関係情報記憶エリアの構成は、第一大当たり関係情報記憶エリアの構成と同様であるため、説明を簡略化する。第一大当たり関係情報記憶エリアおよび第二大当たり関係情報記憶エリアは、後述するメイン処理の特別図柄処理（図８から図１１参照）において使用される。第一大当たり関係情報記憶エリアには複数の記憶エリアが設けられている。第一始動口１４に遊技球が入賞した際に、特別図柄保留球数のうち第一始動口１４への入賞による第一保留球数が４未満（０〜３）であれば、番号の小さい記憶エリアから順に乱数が記憶される。本実施形態において、第一始動口１４に入賞した遊技球に対して、大当たり判定を保留して乱数を記憶しておくことのできる数（最大第一保留球数）は「４」である。ＣＰＵ５１は、処理が未だ行われていない記憶エリアの乱数のうち、最も番号が小さい記憶エリアを判定エリアとし、判定エリアに記憶されている乱数について大当たり判定等の各種処理を行う。判定エリアに記憶されている乱数に関する処理（具体的には、大当たり判定結果を報知する報知演出、および、大当たり判定結果が大当たりの場合に実行される大当たり遊技）が終了すると、次に番号が小さい記憶エリアが判定エリアとされて、大当たり判定等の処理が繰り返される。なお、処理が終了した記憶エリアの乱数は、適宜消去してもよい。
【００３１】
各記憶エリアには、第一大当たり判定カウンタの値が記憶される第一大当たり乱数欄、第一特別図柄決定カウンタの値が記憶される第一特別図柄決定乱数欄、および第一変動パターン決定カウンタの値が記憶される第一変動パターン決定乱数欄が設けられている。第一始動口１４に遊技球が入賞すると、その時点で計数されているそれぞれの乱数取得カウンタの値が各欄に記憶される。第一大当たり乱数は、第一大当たり判定のために用いられる。第一特別図柄決定乱数は第一特別図柄を決定するために用いられる。第一変動パターン決定乱数は、図柄表示部２４の第一特別図柄表示部に表示される第一特別図柄の変動時間を示す変動パターンを決定するために用いられる。
【００３２】
パチンコ機１において、第一特別図柄および第二特別図柄の変動時間は、第一大当たり判定および第二大当たり判定の結果を遊技者に報知する報知演出の演出時間に等しい。サブ制御基板５８は、主基板４１で決定された変動パターンに従って報知演出を制御する。具体的には、主基板４１は、第一変動パターン決定乱数に基づく第一変動パターンに従って、第一特別図柄の変動を開始する。また、主基板４１は、第二変動パターン決定乱数に基づく第二変動パターンに従って、第二特別図柄の変動を開始する。サブ制御基板５８は、第一特別図柄および第二特別図柄のいずれかの変動開始に同期して、演出図柄８０の変動表示を開始する。主基板４１は、変動を開始した第一特別図柄および第二特別図柄のいずれかの変動時間が終了すると、変動させていた第一特別図柄または第二特別図柄を、所定の特別図柄停止表示時間（本実施形態では０．８秒）の間、確定表示させる。サブ制御基板５８は、特別図柄停止表示時間に同期して、演出図柄８０を確定表示させる。また、サブ制御基板５８は、演出図柄８０による他、表示画面２８、可動役物３０、スピーカ４８等によっても、変動パターンと同期した報知演出を実行する。
【００３３】
第二大当たり関係情報記憶エリアは、後述するメイン処理の特別図柄処理（図８から図１１参照）において使用される。第二大当たり関係情報記憶エリアには、第一大当たり関係情報記憶エリアと同様に、複数の記憶エリアが設けられている。第二始動口１５に遊技球が入賞した際に、特別図柄保留球数のうち第二始動口１５への入賞による第二保留球数が４未満（０〜３）であれば、番号の小さい記憶エリアから順に乱数が記憶される。本実施形態において、第二始動口１５に入賞した遊技球に対して、大当たり判定を保留して乱数を記憶しておくことのできる数（最大第二保留球数）は「４」である。
【００３４】
以下の説明では、第一大当たり乱数および第二大当たり乱数を総称する場合、またはいずれかを特定しない場合、大当たり乱数ともいう。また、第一変動パターン決定乱数および第二変動パターン決定乱数を総称する場合、またはいずれかを特定しない場合、変動パターン決定乱数ともいう。また、第一大当たり関係情報記憶エリアおよび第二大当たり関係情報記憶エリアを総称する場合、またはいずれかを特定しない場合、大当たり関係情報記憶エリアともいう。また、大当たり関係情報記憶エリアに記憶された状態で大当たり判定が保留されている大当たり乱数、および大当たり判定が保留されている大当たり乱数とともに取得されて大当たり関係情報記憶エリアに記憶されている各種乱数を総称して保留乱数という。保留乱数のうち第一大当たり関係エリアに記憶されている第一保留乱数の数は、第一保留球数に対応する。保留乱数のうち第二大当たり関係エリアに記憶されている第二保留乱数の数は、第二保留球数に対応する。なお、ＲＡＭ５２には、普通図柄作動ゲート１２への遊技球の入賞時に取得される乱数を記憶するための普通当たり関係情報記憶エリアが設けられている。普通当たり関係情報記憶エリアも、大当たり関係情報記憶エリアと同様に構成されている。
【００３５】
図５を参照して、ＲＯＭ５３に記憶されている特別図柄決定テーブルについて説明する。パチンコ機１は、第一大当たり判定の結果が大当たりであることを示す第一特別図柄と、第二大当たり判定の結果が大当たりであることを示す第二特別図柄とを、特別図柄決定テーブルを参照することで決定する。第一特別図柄および第二特別図柄は、それぞれ複数の大当たり種別のいずれかに分類される。
【００３６】
本実施形態における大当たり種別は、第一特別図柄および第二特別図柄の双方ともに、特別図柄決定テーブルにおける「大当たり種別」欄の「種別名称」に示す「８Ｒ通常」「８Ｒ確変」「１６Ｒ確変」の三種類である。「大当たり種別」欄の「遊技状態」は、大当たり遊技の終了後に生起される遊技状態を示す。「大当たり種別」欄の「時短継続」は、大当たり遊技の終了後に生起された時短状態の継続条件を示す。「１００回」は、時短回数が１００回であることを示し、「次回まで」は、大当たり遊技の終了後から次回の大当たり遊技が開始されるまで時短状態が継続することを示す。「大当たり種別」欄の「ラウンド数」は、１回の大当たり遊技中に繰り返されるラウンドの合計回数を示す。即ち、大当たり種別の種別名称に含まれる「８Ｒ」「１６Ｒ」は、大当たり種別毎に予め定められているラウンド数を略記したものに対応する。また、大当たり遊技の終了後に確率変動状態が生起される大当たりは、「確変大当たり」ともいい、大当たり遊技の終了後に確率変動状態が生起されない大当たりは、「通常大当たり」ともいう。即ち、大当たり種別の種別名称に含まれる「確変」および「通常」は、「確変大当たり」および「通常大当たり」であること示す。
【００３７】
図５に示すように、特別図柄決定テーブルには、第一特別図柄および第二特別図柄のそれぞれについて、複数の大当たり種別に各々対応する特別図柄決定乱数の乱数値が定義されている。大当たり判定によって大当たりと判定されると、特別図柄決定乱数の値に対応する特別図柄が決定される。決定された特別図柄の属する大当たり種別に応じて、ラウンド数、大当たり遊技終了後に生起される遊技状態および生起される時短状態の継続条件が決定される。パチンコ機１では、第一大当たり判定および第二大当たり判定において大当たりと判定された場合には、「８Ｒ通常」となる割合は２５％、「８Ｒ確変」となる割合は２５％、「１６Ｒ確変」となる割合は５０％である。
【００３８】
本実施形態では、大当たり種別が「８Ｒ確変」または「１６Ｒ確変」の場合、大当たり遊技の終了後に確率変動時短状態が生起される。また、大当たり種別が「８Ｒ通常」の場合、大当たり遊技の終了後に非確率変動時短状態が生起される。「確変大当たり」である「８Ｒ確変」および「１６Ｒ確変」の大当たり種別による大当たり遊技が実行された場合、大当たり遊技の終了後から次回の大当たり遊技まで確率変動状態が継続する。このため、大当たり種別が「８Ｒ確変」および「１６Ｒ確変」の場合、大当たり種別が「８Ｒ通常」の場合よりも、以降に大当たり判定において大当たりと判定されて、大当たり遊技が実行される期待値が高くなる。したがって、大当たり種別が「８Ｒ確変」および「１６Ｒ確変」の場合、大当たり種別が「８Ｒ通常」の場合よりも、賞球の払い出しに関して遊技者が有利となる期待値が高くなる。また、「８Ｒ確変」による大当たり遊技と、「１６Ｒ確変」による大当たり遊技とを比較すると、ラウンド数の大きい「１６Ｒ確変」の方が、「８Ｒ確変」よりも賞球の払い出しに関して遊技者が有利となる期待値が高くなる。したがって、本実施形態では、「８Ｒ通常」、「８Ｒ確変」、「１６Ｒ確変」の順に、遊技者が有利となる期待値が高くなる。
【００３９】
図６を参照して、ＲＯＭ５３に記憶されている変動パターン決定テーブルについて説明する。図６に示すように、変動パターン決定テーブルは、大当たり判定が第一大当たり判定および第二大当り判定のいずれであるか、大当たり判定時の遊技状態（通常状態、確率変動時短状態、または非確率変動時短状態）および大当たり判定の結果（大当たりまたははずれ）に応じて、複数のテーブルを設けている。それぞれのテーブルには複数種類の変動パターンが割り当てられており、各変動パターンと変動パターン決定乱数の値（０〜５１１）とが対応付けられている。第一大当たり判定が行われると、その時点の遊技状態と判定結果とに応じたテーブルが参照され、大当たり乱数とともに取得されている変動パターン決定乱数の値に対応する変動パターンが１つ決定される。
【００４０】
図６に示すように、通常状態における第一大当たり判定の判定結果が大当たりの場合には、「リーチ演出Ａ」、「リーチ演出Ｂ」、「リーチ演出Ｃ」、「リーチ演出Ｄ」、「リーチ演出Ｅ」の順に、変動パターンが決定される割合が高くなる。ここで、「リーチ演出」とは、例えば３つの演出図柄８０のうち２つが同じ図柄で停止するリーチ状態が構成された後に、大当たりの可能性があることを示す演出を実行する報知演出である。一方、判定結果がはずれの場合には、「リーチ演出Ａ」、「リーチ演出Ｂ」、「リーチ演出Ｃ」、「リーチ演出Ｄ」、「リーチ演出Ｅ」の順に、変動パターンが決定される割合が低くなる。したがって、第一大当たり判定の結果が大当たりとなる期待値は、「リーチ演出Ａ」、「リーチ演出Ｂ」、「リーチ演出Ｃ」、「リーチ演出Ｄ」、「リーチ演出Ｅ」の順に高くなる。また、判定結果が小当たりの場合には「リーチ演出Ｃ」が決定される。なお、本実施形態において、「非リーチ」の変動パターンは、リーチ状態に至ることなく演出が終了する報知演出であり、本実施形態では、大当たり判定の結果がはずれの場合にのみ決定される。
【００４１】
なお、詳細は省略するが、変動パターン決定テーブルにおいて、第二大当り判定についても、遊技状態に応じて複数種類の変動パターンが割り当てられており、各変動パターンと変動パターン決定乱数の値とが対応付けられている。主基板４１は、決定した変動パターンに応じて決められている変動時間だけ、第一特別図柄または第二特別図柄を変動させる。また、主基板４１は、変動パターン決定テーブルが参照されて決定された変動パターンを指定するコマンドである変動パターン指定コマンドを、サブ制御基板５８へ送信する。サブ制御基板５８は、コマンドによって指定された変動パターンに応じて表示画面２８およびスピーカ４８等を制御する。
【００４２】
図７から図１１を参照して、パチンコ機１の主基板４１による動作について説明する。パチンコ機１の主制御は、ＲＯＭ５３に記憶されている制御プログラムによって行われる。制御プログラムのメイン処理（図１１参照）は、割込信号発生回路５７（図３参照）が４ｍｓ毎に発生する割込信号をＣＰＵ５１が感知した際に、ＣＰＵ５１において実行される。以下、フローチャートの各ステップについて「Ｓ」と略記する。
【００４３】
図７に示すように、メイン処理が開始されると、まず、コマンド出力処理が行われる（Ｓ１０）。コマンド出力処理では、制御コマンドが、サブ制御基板５８、払出制御基板４５、中継基板４７等に出力される。ここで出力される制御コマンドは、前回実施されたメイン処理においてＲＡＭ５２に記憶された制御コマンドである。
【００４４】
次いで、スイッチ読込処理が行われる（Ｓ１１）。詳細は後述するが、スイッチ読込処理では、普通図柄作動ゲート１２、各入賞口に設けられた各スイッチ（図３参照）の検出結果から、遊技球を検知するための処理が行われる。
【００４５】
次いで、カウンタ更新処理が行われる（Ｓ１２）。カウンタ更新処理では、ＲＡＭ５２に記憶されている乱数取得カウンタの値が加算され、且つ、特別図柄の変動時間を計測するためのタイマカウンタである特別図柄変動時間カウンタの値が減算される。
【００４６】
次いで、特別電動役物処理が行われる（Ｓ１３）。特別電動役物処理では、大当たり遊技の動作（主に大入賞口１６の開閉部材の開閉動作）を制御するための処理と、大当たり遊技終了後に生起される遊技状態に関する処理とが行われる。本実施形態では、通常状態において大当たりと判定された場合においては、大当たり種別が「８Ｒ確変」および「１６Ｒ確変」の場合、確率変動フラグおよび時短フラグが、大当たり遊技終了後に「ＯＮ」とされる。また、大当たり種別が「８Ｒ通常」の場合には、時短フラグが大当たり遊技終了後に「ＯＮ」とされる。なお、大当たり遊技におけるラウンド数は、後述する特別図柄処理において、大当たり種別に応じて決定される。本実施形態では、大当たり遊技の各ラウンドにおいて、大入賞口１６が最大開放時間２９秒で開放される。そして、一旦開放された大入賞口１６は、最大開放時間の経過、および９個の遊技球の入賞のいずれかの条件が満たされると閉鎖される。
【００４７】
次いで、特別図柄処理が行われる（Ｓ１４）。詳細は後述するが、特別図柄処理では、大当たり判定、変動パターンの決定、特別図柄の決定、および遊技状態の移行処理等が行われる（図８から図１１参照）。
【００４８】
次いで、普通電動役物処理が行われる（Ｓ１５）。普通電動役物処理では、普通当たり遊技の動作（主に第二始動口１５の開閉部材の開閉動作）を制御するための処理が行われる。ＣＰＵ５１は、時短状態中に普通当たりと判定された場合、第二始動口１５の開閉部材を、非時短状態中よりも長く開放させる。なお、ＣＰＵ５１は、時短フラグが「ＯＮ」とされていれば、時短状態中であると判断する。
【００４９】
次いで、普通図柄処理が行われる（Ｓ１６）。普通図柄処理では、普通図柄作動スイッチ７４が遊技球を検出することを契機として、普通当たり乱数が取得される。取得された乱数に基づいて、普通当たり判定、普通図柄の変動を制御するためのコマンドの記憶等の処理が行われる。前述したように、普通当たり判定は、時短状態が生起されているか否かに応じて、それぞれの確率（９９／１００または４／１００）で判定される。
【００５０】
次いで、払出処理（Ｓ１７）、エラーチェック（Ｓ１８）、および情報出力処理（Ｓ１９）が行われる。払出処理では、賞球の払い出しが制御される。エラーチェックでは、エラーが発生している場合に、表示画面２８およびスピーカ４８等を用いてエラーが報知される。情報出力処理では、遊技場管理用コンピュータ（図示略）に各種の情報が出力される。
【００５１】
図８から図１１を参照して、特別図柄処理（Ｓ１４、図７参照）の詳細について説明する。まず、特別図柄処理で使用されるフラグについて説明する。ＲＡＭ５２には、大当たり遊技状態フラグ、特別図柄表示状態フラグ、確率変動フラグ、時短フラグ、等が記憶されている。大当たり遊技状態フラグは、大当たり遊技中に「１」が記憶されて「ＯＮ」となり、大当たり遊技中でない場合には「０」が記憶されて「ＯＦＦ」となる。特別図柄表示状態フラグは、第一特別図柄および第二特別図柄のいずれか一方が変動している場合（変動中）に「１」、いずれか一方が停止表示されている場合（停止表示中）に「２」、いずれも変動中でも停止表示中でもない場合に「０」が記憶される。確率変動フラグは、確率変動状態中に「１」が記憶されて「ＯＮ」となる。時短フラグは、時短状態中に「１」が記憶されて「ＯＮ」となる。
【００５２】
図８に示すように、特別図柄処理が開始されると、第一始動口１４に遊技球が入賞しているか否かが判断される（Ｓ４１）。第一始動口１４に設けられた第一始動口スイッチ７２が遊技球の入賞を検出すると、メイン処理のスイッチ読込処理（Ｓ１１、図７参照）において、第一始動口スイッチ７２に対応するフラグが「ＯＮ」となる。このフラグが「ＯＮ」でない場合には、遊技球が入賞していないと判断されて（Ｓ４１：ＮＯ）、処理はＳ５１の判断へ移行する。第一始動口１４に遊技球が入賞していれば（Ｓ４１：ＹＥＳ）、第一保留球数が「４」であるか否かが判断される（Ｓ４２）。ＲＡＭ５２に記憶されている第一保留球数が「４」であれば（Ｓ４２：ＹＥＳ）、記憶可能な保留球の数が上限に達しているため、処理はＳ５１の判断へ移行する。
【００５３】
第一保留球数が「４」でない場合には（Ｓ４２：ＮＯ）、ＲＡＭ５２に記憶されている第一保留球数に「１」が加算される（Ｓ４３）。次いで、第一保留球数をサブ制御基板５８に通知するための保留球数通知コマンドがＲＡＭ５２に記憶される（Ｓ４４）。保留球数通知コマンドは、次回実行されるメイン処理のコマンド出力処理（Ｓ１０、図７参照）において、サブ制御基板５８に送信される。
【００５４】
次いで、各種乱数が取得され、第一大当たり関係情報記憶エリア（図５参照）における空の記憶エリアのうち、番号が最も小さい記憶エリアに記憶される（Ｓ４５）。具体的には、第一大当たり乱数欄には第一大当たり判定カウンタの値が、第一特別図柄決定乱数欄には第一特別図柄決定カウンタの値が、第一変動パターン決定乱数欄には第一変動パターン決定カウンタの値が、それぞれＲＡＭ５２に記憶される。
【００５５】
次いで、Ｓ４５において新たに記憶された第一保留乱数についての情報を、第一保留乱数に含まれる第一大当たり乱数に対して実際に第一大当たり判定が行われるよりも前に取得（先読み）する乱数先読み処理が行われる（Ｓ４６）。その後、処理はＳ５１の判断へ移行する。
【００５６】
図１１を参照して、乱数先読み処理（Ｓ４６、図８参照）について詳細に説明する。乱数先読み処理では、Ｓ４５（図８参照）において新たに記憶された第一当たり乱数に対して行われる第一大当たり判定の結果についての情報、新たに記憶された第一変動パターン決定乱数によって決定される変動パターンについての情報、新たに記憶された第一特別図柄決定乱数によって決定される大当たり種別についての情報が取得される。また、取得された各種情報に基づいた先読みコマンドが記憶される。
【００５７】
図１１に示すように、乱数先読み処理が開始されると、Ｓ４５において新たに記憶された第一保留乱数の情報が、保留乱数先読み情報として取得される（Ｓ１３１）。取得された保留乱数先読み情報のうち、第一大当たり乱数の値が参照される（Ｓ１３２）。次いで、確率変動状態が生起されているか否かに応じた判定テーブルが参照される（Ｓ１３３）。図示しないが、ＲＯＭ５３には、第一大当たり判定を行うためのテーブルとして、低確率判定テーブルと、高確率判定テーブルとが設けられている。低確率判定テーブルは、非確率変動状態中の第一大当たり判定に用いられるテーブルであり、「大当たり」および「はずれ」に各々対応する第一大当たり乱数の乱数値が定義されている。高確率判定テーブルは、確率変動状態中の第一大当たり判定に用いられるテーブルであり、「大当たり」および「はずれ」に各々対応する第一大当たり乱数の乱数値が定義されている。Ｓ１３３では、確率変動フラグが「ＯＮ」の場合、確率変動状態が生起されていると判断され、高確率判定テーブルが選択される。確率変動フラグが「ＯＦＦ」の場合、確率変動状態が生起されていないと判断され、低確率判定テーブルが選択される。選択された低確率判定テーブルまたは高確率判定テーブルを参照して、Ｓ１３２で参照した第一大当たり乱数が「大当たり」および「はずれ」のいずれに対応するかを示す情報が、大当たり乱数先読み情報として取得される（Ｓ１３４）。取得された大当たり乱数先読み情報は、ＲＡＭ５２に記憶される。
【００５８】
次いで、保留乱数先読み情報のうち、第一変動パターン決定乱数の値が参照される（Ｓ１３６）。次いで、現在生起されている遊技状態と、Ｓ１３４において記憶された大当たり乱数先読み情報とに対応した変動パターン決定テーブル（図６参照）が参照される（Ｓ１３８）。参照された変動パターン決定テーブルにおいて、第一変動パターン決定乱数の値に対応する変動パターンについての情報が、変動パターン先読み情報として取得される（Ｓ１３９）。取得された変動パターン先読み情報は、ＲＡＭ５２に記憶される。
【００５９】
次いで、Ｓ１３４で取得された大当たり乱数先読み情報が、「大当たり」を示す情報であるか否かが判断される（Ｓ１４１）。大当たり乱数先読み情報が、「はずれ」を示す情報である場合（Ｓ１４１：ＮＯ）、処理はＳ１４５へ移行する。大当たり乱数先読み情報が、「大当たり」を示す情報である場合（Ｓ１４１：ＹＥＳ）、保留乱数先読み情報のうち、第一特別図柄決定乱数の値が参照される（Ｓ１４２）。次いで、特別図柄決定テーブル（図５参照）が参照されて（Ｓ１４３）、第一特別図柄決定乱数の値に対応する大当たり種別についての情報が、大当たり種別先読み情報として取得される（Ｓ１４４）。取得された大当たり種別先読み情報は、ＲＡＭ５２に記憶される。
【００６０】
次いで、大当たり乱数先読み情報、変動パターン先読み情報、大当たり乱数先読み情報が「大当たり」を示す情報の場合に取得される大当たり種別先読み情報を、サブ制御基板５８に通知するための先読みコマンドが作成されて、ＲＡＭ５２に記憶される（Ｓ１４５）。先読みコマンドは、次回実行されるメイン処理のコマンド出力処理（Ｓ１０、図７参照）において、サブ制御基板５８に送信される。処理は、特別図柄処理（図８参照）へ戻る。
【００６１】
図８の説明に戻る。次いで、第二始動口１５に遊技球が入賞しているか否かが判断される（Ｓ５１）。第二始動口１５に設けられた第二始動口スイッチ７３が遊技球の入賞を検出すると、メイン処理のスイッチ読込処理（Ｓ１１、図７参照）において、第二始動口スイッチ７３に対応するフラグが「ＯＮ」となる。このフラグが「ＯＮ」でない場合には、遊技球が入賞していないと判断されて（Ｓ５１：ＮＯ）、処理はＳ６１（図９参照）の判断へ移行する。第二始動口１５に遊技球が入賞していれば（Ｓ５１：ＹＥＳ）、第二保留球数が「４」であるか否かが判断される（Ｓ５２）。ＲＡＭ５２に記憶されている第二保留球数が「４」であれば（Ｓ５２：ＹＥＳ）、記憶可能な保留球の数が上限に達しているため、処理はＳ６１の判断へ移行する。
【００６２】
第二保留球数が「４」でない場合には（Ｓ５２：ＮＯ）、ＲＡＭ５２に記憶されている第二保留球数に「１」が加算される（Ｓ５３）。次いで、各種乱数が取得され、第二大当たり関係情報記憶エリア（図示せず）における空の記憶エリアのうち、番号が最も小さい記憶エリアに記憶される（Ｓ５５）。具体的には、第二大当たり乱数欄には第二大当たり判定カウンタの値（第二大当たり乱数）、第二特別図柄決定カウンタの値（第二特別図柄決定乱数）、第二変動パターン決定カウンタの値（第二変動パターン決定乱数）がそれぞれ記憶される。その後、処理はＳ６１の判断へ移行する。
【００６３】
次いで、図９に示すように、大当たり遊技状態であるか否かが判断される（Ｓ６１）。大当たり遊技状態フラグが「ＯＮ」である場合、大当たり遊技状態中であると判断されて（Ｓ６１：ＹＥＳ）、処理はメイン処理へ戻る。大当たり遊技状態フラグが「ＯＦＦ」である場合、大当たり遊技状態中でないと判断されて（Ｓ６１：ＮＯ）、第一特別図柄および第二特別図柄のいずれかが変動中であるか否かが判断される（Ｓ６２）。特別図柄表示状態フラグが「１」でない場合には、いずれも変動中でないと判断されて（Ｓ６２：ＮＯ）、第一特別図柄および第二特別図柄のいずれかが停止状態中であるか否かが判断される（Ｓ６３）。特別図柄表示状態フラグが「２」でない場合は、いずれも停止表示中でないと判断されて（Ｓ６３：ＮＯ）、処理はＳ７１（図１０参照）へ移行し、大当たり判定等の処理が行われる。
【００６４】
本実施形態では、大当たり判定において、第二大当り判定が第一大当たり判定よりも優先して行われる。図１０に示すように、まず、第二保留球数が「１」以上であるか否かが判断される（Ｓ７１）。ＲＡＭ５２に記憶されている第二保留球数が「１」以上である場合には（Ｓ７１：ＹＥＳ）、第二大当り判定が行われるが、詳細は後述する。第二保留球数が「０」である場合には（Ｓ７１：ＮＯ）、第一保留球数が「１」以上であるか否かが判断される（Ｓ７２）。ＲＡＭ５２に記憶されている第一保留球数が「０」であれば（Ｓ７２：ＮＯ）、処理はメイン処理へ戻る。
【００６５】
第一保留球数が「１」以上である場合には（Ｓ７２：ＹＥＳ）、ＲＡＭ５２に記憶されている第一保留球数が「１」減算される（Ｓ７３）。次いで、第一保留球数をサブ制御基板５８に通知するための保留球数通知コマンドが、ＲＡＭ５２に記憶される（Ｓ７４）。第一大当たり関係情報記憶エリア（図４参照）の判定エリアが、次の番号の記憶エリアにシフトされる（Ｓ７５）。
【００６６】
次いで、確率変動状態であるか否かに応じた第一大当たり判定が行われる（Ｓ７６）。Ｓ７６では、確率変動フラグの状態を参照して、現時点において確率変動状態が生起されているか否かが特定される。確率変動状態が生起されているか否かが特定された結果に対応して、前述の低確率判定テーブルまたは高確率判定テーブルが選択される。選択された低確率判定テーブルまたは高確率判定テーブルが参照されて、Ｓ７５でシフトされた判定エリアに記憶されている第一大当たり乱数が「大当たり」および「はずれ」のいずれに対応するかが判定される。これにより、ＲＡＭ５２に記憶された未判定の第一大当たり乱数に基づく第一大当たり判定が、第一大当たり乱数の記憶された順に行われる。
【００６７】
次いで、第一大当たり判定の結果が大当たりであるか否かが判断される（Ｓ７７）。第一大当たり判定の結果が大当たりの場合（Ｓ７７：ＹＥＳ）、大当たりであることを示す第一特別図柄が決定される（Ｓ７８）。具体的には、特別図柄決定テーブル（図５参照）が参照されて、Ｓ７５でシフトされた判定エリアに記憶されている大当たり乱数と同時に取得された第一特別図柄決定乱数の値に対応する第一特別図柄が決定される。また、決定された第一特別図柄に応じた大当たり種別が決定される（Ｓ７９）。その後、処理はＳ１１１へ移行する。第一大当たり判定の結果がはずれの場合（Ｓ７７：ＮＯ）、はずれであることを示す所定の第一特別図柄が決定されて（Ｓ８０）、処理はＳ１１１へ移行する。
【００６８】
また、第二大当り判定では、まず第二保留球数が「１」減算される（Ｓ９３）。第二大当たり関係情報記憶エリアの判定エリアが、次の番号の記憶エリアにシフトされる（Ｓ９５）。次いで、確率変動状態であるか否かに応じた第二大当たり判定が行われる（Ｓ９６）。Ｓ９６では、確率変動フラグの状態を参照して、現時点において確率変動状態が生起されているか否かが特定される。確率変動状態が生起されているか否かが特定された結果に対応して、前述の低確率判定テーブルまたは高確率判定テーブルが選択される。選択された低確率判定テーブルまたは高確率判定テーブルが参照されて、Ｓ９５でシフトされた判定エリアに記憶されている第二大当たり乱数が「大当たり」および「はずれ」のいずれに対応するかが判定される。これにより、ＲＡＭ５２に記憶された未判定の第二大当たり乱数に基づく第二大当たり判定が、第二大当たり乱数の記憶された順に行われる。
【００６９】
次いで、第二大当たり判定の結果が大当たりであるか否かが判断される（Ｓ９７）。第二大当たり判定の結果が大当たりの場合（Ｓ９７：ＹＥＳ）、大当たりであることを示す第二特別図柄が決定される（Ｓ９８）。具体的には、特別図柄決定テーブル（図５参照）が参照されて、Ｓ９５でシフトされた判定エリアに記憶されている大当たり乱数と同時に取得された第二特別図柄決定乱数の値に対応する第二特別図柄が決定される。また、決定された第二特別図柄に応じた大当たり種別が決定される（Ｓ９９）。その後、処理はＳ１１１へ移行する。第一大当たり判定の結果がはずれの場合（Ｓ９７：ＮＯ）、はずれであることを示す所定の第二特別図柄が決定されて（Ｓ１００）、処理はＳ１１１へ移行する。
【００７０】
次いで、変動パターン決定処理が行われる（Ｓ１１１）。変動パターン決定処理は、第一特別図柄および第二特別図柄の変動パターンを決定する処理である。変動パターン決定処理では、ＲＯＭ５３に記憶されている変動パターン決定テーブル（図６参照）のうち、大当たり判定が第一大当たり判定および第二大当たり判定のいずれであるか、大当たり判定時の遊技状態（通常状態、確率変動時短状態、または非確率変動時短状態）および大当たり判定の結果（大当たりまたははずれ）に応じたテーブルが参照されて、第一特別図柄および第二特別図柄の変動パターンが決定される。
【００７１】
変動パターンが決定されると、決定された変動パターンを指定するための変動パターン指定コマンドがＲＡＭ５２に記憶される（Ｓ１１２）。変動パターン指定コマンドは、次回実行されるメイン処理のコマンド出力処理（Ｓ１０、図７参照）において、サブ制御基板５８に送信される。決定された変動パターンに応じて決められている第一特別図柄または第二特別図柄の変動時間が、特別図柄変動時間カウンタにセットされる（Ｓ１１３）。第一特別図柄および第二特別図柄のいずれかが変動中であることを示す「１」が特別図柄表示状態フラグに記憶されて（Ｓ１１４）、処理はメイン処理へ戻る。
【００７２】
また、図９に示すＳ６２の判断において、特別図柄表示状態フラグに「１」が記憶されている場合には、第一特別図柄および第二特別図柄のいずれかが変動中であると判断され（Ｓ６２：ＹＥＳ）、変動時間が経過したか否かが判断される（Ｓ１２１）。Ｓ１１３（図１０参照）の処理においてセットされた特別図柄変動時間カウンタの値が「０」となっている場合には、変動時間が経過したと判断され（Ｓ１２１：ＹＥＳ）、ＲＡＭ５２に特別図柄停止コマンドが記憶される（Ｓ１２２）。このコマンドは、コマンド出力処理（Ｓ１０、図７参照）によって中継基板４７およびサブ制御基板５８に送信され、第一特別図柄または第二特別図柄、および表示画面２８の演出図柄８０の変動停止を指示する。次いで、所定の特別図柄停止表示時間（本実施形態では０．８秒）が特別図柄停止時間カウンタに記憶される（Ｓ１２３）。第一特別図柄および第二特別図柄のいずれかが停止表示中であることを示す「２」が特別図柄表示状態フラグに記憶される（Ｓ１２４）。その後、第一始動口フラグおよび第二始動口フラグのうち「ＯＮ」となっているものが「ＯＦＦ」とされて（Ｓ１２５）、処理はメイン処理へ戻る。一方、Ｓ１０１の判断において、変動時間がまだ経過していないと判断された場合には（Ｓ１２１：ＮＯ）、処理はメイン処理へ戻る。
【００７３】
また、Ｓ１１３の判断において、特別図柄表示状態フラグに「２」が記憶されている場合（Ｓ６３：ＹＥＳ）、Ｓ１２２においてセットされた特別図柄停止時間カウンタの値によって、停止表示時間が経過したか否かが判断される（Ｓ１２６）。特別図柄停止時間カウンタの値が「０」でない場合には、停止表示時間がまだ経過していないと判断され（Ｓ１２６：ＮＯ）、処理はメイン処理へ戻る。停止表示時間が経過した場合には（Ｓ１２６：ＹＥＳ）、第一特別図柄および第二特別図柄のいずれもが変動中でも停止表示中でもないことを示す「０」が、特別図柄表示状態フラグに記憶される（Ｓ１２７）。次いで、遊技状態移行処理が行われて（Ｓ１２８）、処理はメイン処理へ戻る。
【００７４】
なお、遊技状態移行処理では、大当たりと判定された場合に遊技を大当たり遊技へ移行させるためのフラグの制御と、所定の終了条件が成立した場合に時短状態および確率変動状態を終了させるためのフラグの制御とが行われる。詳細には、大当たり判定の結果が大当たりである場合に大当たり遊技状態フラグが「ＯＮ」となり、遊技状態が大当たり遊技状態へ移行される。この場合、大当たり遊技を開始することを示す大当たり遊技開始コマンドがＲＡＭ５２に記憶され、コマンド出力処理（Ｓ１０、図７参照）によってサブ制御基板５８に送信される。なお、大当たり遊技中は、遊技状態が通常状態へ移行する。また、時短状態および確率変動状態の終了条件が満たされていれば、これらの遊技状態が終了し、遊技状態は非時短状態および非確率変動状態へ移行する。
【００７５】
図１２を参照して、本実施形態において実行される図柄連続予告演出について説明する。ここで予告演出とは、報知演出が報知する大当たり判定の判定結果の期待値が、演出図柄８０の組合せが確定表示されるよりも前に遊技者に予告される演出である。本実施形態では、保留乱数から先読みされた先読み情報の内容に応じて、保留乱数に対して実行される報知演出において表示される演出図柄８０の態様が予め決定される。演出図柄８０の表示態様が決定される契機となった保留乱数を、以下、「ターゲット保留」という。また、ターゲット保留から取得される先読み情報を、以下、「ターゲット先読み情報」という。また、ターゲット保留に対して後に実行される報知演出を、以下、「ターゲット演出」という。ターゲット保留よりも先に記憶されている保留乱数に対して実行される報知演出であって、ターゲット演出よりも先に実行される報知演出を、以下、「保留報知演出」という。
【００７６】
一般に、遊技機では、報知演出においていずれの演出図柄８０を用いて確定表示を行うかが、報知演出の開始時に決定されることが多い。本実施形態では、パチンコ機１は、ターゲット演出における演出図柄８０の確定表示態様を、ターゲット演出の開始時よりも先の時点に決定する。なお、パチンコ機１において、ターゲット演出における演出図柄８０の確定表示態様は、ターゲット先読み情報の示す大当たり判定の判定結果の期待値に応じて決定される。そして、決定されたターゲット演出における演出図柄８０の確定表示態様に応じて、保留報知演出の態様が決定される。決定される保留報知演出の態様とは、主に、保留報知演出において変動表示および確定表示される演出図柄８０の態様である。
【００７７】
ターゲット保留よりも前に記憶されている保留乱数が複数ある場合、保留報知演出は、ターゲット演出に先立って複数回実行される。このような場合であっても、パチンコ機１は、複数回の保留報知演出のそれぞれにおける演出図柄８０の表示態様を、ターゲット演出における演出図柄８０の確定表示態様に応じて決定できる。ターゲット先読み情報の示すターゲット演出の期待値を、ターゲット演出における確定表示態様と、ターゲット演出における確定表示態様に応じた保留報知演出における演出図柄８０の表示態様とを用いて予告する演出が、本実施形態における図柄連続予告演出である。パチンコ機１は、保留報知演出およびターゲット演出を含む複数の連続した報知演出に亘って、ターゲット演出への遊技者の期待感を、演出図柄８０を用いて効果的に高めることができる。
【００７８】
図１２に示すように、本実施形態の図柄連続予告演出では、ターゲット演出に先立って実行される保留報知演出における演出図柄８０の表示態様が、ターゲット演出における演出図柄８０の確定表示態様を意識したものとして構成される。図１２に示す図柄連続予告演出の例について説明する。本実施形態において、図柄連続予告演出は、遊技状態が通常状態の場合に実行される。また、本実施形態において、図柄連続予告演出は、第一大当たり判定の判定結果を報知する報知演出において実行される。本実施形態では、遊技状態が通常状態の場合、第二始動口１５よりも第一始動口１４に容易に遊技球を入賞させることができる。このため、左打ちによって遊技を進行することが、右打ちによって遊技を進行するよりも遊技者にとって有利となる。パチンコ機１は、主に第一始動口１４に遊技球が入賞する通常状態において、図柄連続予告演出を実行する。
【００７９】
図１２の（１）に示すように、報知演出が開始されて演出図柄８０が変動を開始してから、演出図柄８０が「１４３」の配列で確定表示されて報知演出が終了するまでの間に、第一始動口１４へ遊技球が入賞し、第一保留乱数が取得されたとする。ここで、（１）に示す報知演出は、大当たり判定の判定結果がはずれであることを報知する報知演出である。なお、（１）に示す「↓↓↓」の矢印は、演出図柄８０が変動表示中であることを示し、「１４３」の数字は、演出図柄８０の表示態様を示す。本実施形態では、変動を開始した演出図柄８０は、左→中→右の順に停止して、確定表示に至る。
【００８０】
（１）に示す報知演出の実行中に第一始動口１４へ遊技球が入賞することを契機として記憶された第一保留乱数が、ターゲット保留であるとする。本実施形態では、ターゲット保留の取得時に、ターゲット保留からターゲット先読み情報が取得される。そして、取得されたターゲット先読み情報に応じて、ターゲット演出における演出図柄８０の確定表示態様が決定される。本実施形態では、ターゲット演出における演出図柄８０の確定表示態様が決定されるタイミングは、ターゲット保留の取得時である。ターゲット保留が取得された時点の第一保留球数は、ターゲット保留を含めて「４」であるとする。
【００８１】
本実施形態において、ターゲット演出は、リーチ状態を経た後に大当たり判定の判定結果を示す演出図柄８０の組合せが確定表示されるリーチ演出として実行される。この場合、保留報知演出からターゲット演出に亘ってリーチ演出が繰り返し実行されるので、パチンコ機１は、ターゲット演出の実行に向けて遊技者の興味を惹きつけることができる。ターゲット演出において確定表示される演出図柄８０の組合せによる確定表示態様は、リーチ図柄と最終停止図柄とによって構成される。リーチ図柄とは、リーチ状態を構成して停止表示される２つの演出図柄８０の組である。本実施形態では、リーチ図柄は、同じ数字を示す２つの演出図柄８０によって構成される。また、最終停止図柄とは、リーチ図柄よりも後に停止表示される演出図柄８０である。
【００８２】
ターゲット演出における演出図柄８０の確定表示態様は、ターゲット先読み情報の示すターゲット演出の期待値に応じて決定される。詳細は後述するが、本実施形態では、ターゲット演出の期待値が三段階に区分されている。ターゲット演出の期待値が最も高い場合、「３」「７」の数字を示す演出図柄８０のうちいずれかを用いて、ターゲット演出のリーチ図柄が決定される。「３」または「７」の数字を示す演出図柄８０を、以下、「第一演出図柄」ともいう。ターゲット演出の期待値が中程度の場合、「１」または「５」の数字を示す演出図柄８０のうちいずれかを用いて、ターゲット演出のリーチ図柄が決定される。「１」「５」の数字を示す演出図柄８０を、以下、「第二演出図柄」ともいう。ターゲット演出の期待値が最も低い場合、「２」、「４」、「６」の数字を示す演出図柄８０のうちいずれかを用いて、ターゲット演出のリーチ図柄が決定される。「２」、「４」、「６」の数字を示す演出図柄８０を、以下、「第三演出図柄」ともいう。また、ターゲット演出のリーチ図柄を、以下、「ターゲット図柄」ともいう。
【００８３】
図１２の例では、（５）に示すように、ターゲット先読み情報の示すターゲット演出の期待値が三段階のうち最も高い場合であり、「７」の数字を示す演出図柄８０が、ターゲット図柄として決定されたとする。ターゲット演出は、大当たり判定の結果が大当たりであることを報知する場合と、大当たり判定の結果がはずれであることを報知する場合とがある。ターゲット演出が大当たり判定の結果が大当たりであることを報知する場合、最終停止図柄としてリーチ図柄と同じ数字を示す演出図柄８０が決定される。（５）において、リーチ図柄である「７」を示す演出図柄８０と同じく、「７」を示す演出図柄８０が、最終停止図柄として決定された様子が示されている。また、ターゲット演出が大当たり判定の結果がはずれであることを報知する場合、最終停止図柄としてリーチ図柄とは異なる数字を示す演出図柄８０が決定される。（５）において、リーチ図柄である「７」を示す演出図柄８０とは異なる、「２」を示す演出図柄８０が、最終停止図柄として決定された様子が示されている。
【００８４】
ターゲット演出における演出図柄８０の確定表示態様がターゲット先読み情報に応じて決定されたことに伴い、保留報知演出の態様が決定される。図柄連続予告演出では、保留報知演出の態様がリーチ演出に決定される。また、リーチ演出である保留報知演出における演出図柄８０の表示態様が、ターゲット演出における演出図柄８０の確定表示態様に基づいて決定される。
【００８５】
図１２の（４）に示すように、ターゲット演出の直前（Ｎ＝１）に実行される保留報知演出は、演出図柄８０が変動を開始してから、演出図柄８０が「１１↓」の配列で表示されるリーチ状態を経て、はずれの判定結果を示す「１１７」の配列で演出図柄８０が確定表示されて報知演出が終了する。なお、「Ｎ＝１」とは、保留報知演出のうち、ターゲット演出の１つ前に実行される報知演出であることを示す。「Ｎ＝１」の保留報知演出の最終停止図柄が、ターゲット図柄と同じ期待値を示す演出図柄８０に決定される。（４）の例は、ターゲット図柄と同じ「７」を示す演出図柄８０が、「Ｎ＝１」の保留報知演出の最終停止図柄に決定された様子を示す。そして、「Ｎ＝１」の保留報知演出のリーチ図柄は、「Ｎ＝１」の保留報知演出の最終停止図柄と同じ期待値か、または「Ｎ＝１」の保留報知演出の最終停止図柄よりも低い期待値を示す演出図柄８０に決定される。（４）の例では、「Ｎ＝１」の保留報知演出の最終停止図柄である「７」を示す演出図柄８０よりも期待値の低い「１」を示す演出図柄８０が、「Ｎ＝１」の保留報知演出のリーチ図柄に決定されている。
【００８６】
また、図１２の（３）に示すように、「Ｎ＝１」の保留報知演出の直前に実行される「Ｎ＝２」の保留報知演出は、演出図柄８０が変動を開始してから、演出図柄８０が「２２↓」の配列で表示されるリーチ状態を経て、はずれの判定結果を示す「２２１」の配列で演出図柄８０が確定表示されて報知演出が終了する。なお、「Ｎ＝２」とは、保留報知演出のうち、ターゲット演出の２つ前に実行される報知演出であることを示す。「Ｎ＝２」の保留報知演出における最終停止図柄には、「Ｎ＝１」の保留報知演出のリーチ図柄と同じ期待値を示す演出図柄８０が決定される。（３）の例は、「Ｎ＝１」の報知演出のリーチ図柄と同じ「１」を示す演出図柄８０が、「Ｎ＝２」の保留報知演出の最終停止図柄に決定された様子を示す。
【００８７】
また、図１２の（２）に示すように、「Ｎ＝２」の保留報知演出の直前に実行される「Ｎ＝３」の保留報知演出は、演出図柄８０が変動を開始してから、演出図柄８０が「４４↓」の配列で表示されるリーチ状態を経て、はずれの判定結果を示す「４４２」の配列で演出図柄８０が確定表示されて報知演出が終了する。なお、「Ｎ＝３」とは、保留報知演出のうち、ターゲット演出の３回前に実行される報知演出であることを示す。「Ｎ＝３」の保留報知演出における最終停止図柄には、「Ｎ＝２」の保留報知演出のリーチ図柄と同じ期待値を示す演出図柄８０が決定される。（３）の例は、「Ｎ＝２」の報知演出のリーチ図柄と同じ「４」を示す演出図柄８０が、「Ｎ＝３」の保留報知演出の最終停止図柄に決定された様子を示す。
【００８８】
（２）から（４）に示すように、保留報知演出における最終停止図柄には、ターゲット演出におけるリーチ図柄の示す期待値と同じか、またはターゲット演出におけるリーチ図柄の示す期待値よりも低くなる演出図柄８０が決定される。このため、パチンコ機１は、例えば、保留報知演出からターゲット演出にかけて、リーチ状態および確定表示態様において表示される演出図柄８０の期待値が順に上昇するように、図柄連続予告演出を構成することができる。この場合、パチンコ機１は、保留報知演出における演出図柄８０の表示態様によって、ターゲット演出の実行に向けて遊技者の期待感を順に高めることができる
【００８９】
図１３を参照して、サブ制御基板５８のＲＯＭ５８３に記憶されている先読み大当たりターゲット図柄決定テーブルについて説明する。先読み大当たりターゲット図柄決定テーブルは、後述する演出図柄決定処理（図１８参照）において用いられるテーブルである。先読み大当たりターゲット図柄決定テーブルには、ターゲット先読み情報に含まれる大当たり種別先読み情報の示す内容に応じて、ターゲット演出におけるターゲット図柄として用いる演出図柄８０の種別が定義されている。本実施形態では、ターゲット演出が大当たり判定の結果が大当たりであることを報知する場合、同じ数字を示す３つの演出図柄８０の組合せが確定表示される。即ち、先読み大当たりターゲット図柄決定テーブルによってターゲット図柄が決定される場合、ターゲット演出における最終停止図柄は、ターゲット図柄と同じ数字を示す演出図柄８０に決定される。即ち、この先読み大当たりターゲット図柄決定テーブルが参照されることで、ターゲット先読み情報に含まれる大当たり乱数先読み情報が「大当たり」を示す情報である場合におけるターゲット演出の確定表示態様が決定される。
【００９０】
前述したように、本実施形態では、大当たり種別が「８Ｒ通常」、「８Ｒ確変」、「１６Ｒ確変」の順に、遊技者が有利となる期待値が高くなる。図１３に示すように、ターゲット先読み情報に含まれる大当たり種別先読み情報が「１６Ｒ確変」を示す場合、第一演出図柄である「３」「７」を示す演出図柄８０のいずれかが、ターゲット演出の確定表示態様に用いられることが決定される。即ち、「３」「７」を示す演出図柄８０のいずれかが、ターゲット図柄およびターゲット演出の最終停止図柄のそれぞれに決定される。また、ターゲット先読み情報に含まれる大当たり種別先読み情報が「８Ｒ確変」を示す場合、第二演出図柄である「１」「５」を示す演出図柄８０のいずれかが、ターゲット演出の確定表示態様に用いられることが決定される。即ち、「１」「５」を示す演出図柄８０のいずれかが、ターゲット図柄およびターゲット演出の最終停止図柄のそれぞれに決定される。また、ターゲット先読み情報に含まれる大当たり種別先読み情報が「８Ｒ通常」を示す場合、第三演出図柄である「２」「４」「６」を示す演出図柄８０のいずれかが、ターゲット演出の確定表示態様に用いられることが決定される。即ち、「２」「４」「６」を示す演出図柄８０のいずれかが、ターゲット図柄およびターゲット演出の最終停止図柄のそれぞれに決定される。このように、ターゲット先読み情報に含まれる大当たり種別先読み情報の示す期待値に応じて、異なる演出図柄８０がターゲット演出の確定表示態様に用いられる。したがって、パチンコ機１は、ターゲット演出においていずれの演出図柄８０が表示されるかについて、遊技者に興味を抱かせることができる。
【００９１】
図１４を参照して、ＲＯＭ５８３に記憶されている先読みはずれターゲット図柄決定テーブルについて説明する。先読みはずれターゲット図柄決定テーブルは、後述する演出図柄決定処理（図１８参照）において用いられるテーブルである。先読みはずれターゲット図柄決定テーブルには、ターゲット先読み情報に含まれる変動パターン先読み情報の示す内容に応じて、ターゲット演出におけるターゲット図柄に用いる演出図柄８０の種別が定義されている。この先読みはずれターゲット図柄決定テーブルが参照されることで、ターゲット先読み情報に含まれる大当たり乱数先読み情報が「はずれ」を示す情報である場合におけるターゲット演出におけるターゲット図柄が決定される。
【００９２】
前述したように、本実施形態では、第一大当たり判定の判定結果が大当たりとなる期待値は、「リーチ演出Ａ」、「リーチ演出Ｂ」、「リーチ演出Ｃ」、「リーチ演出Ｄ」、「リーチ演出Ｅ」の順に高くなる。図１３に示すように、先読みはずれターゲット図柄決定テーブルは、変動パターン先読み情報の示すリーチ演出種別に対応する大当たりとなる期待値が高くなるほど、ターゲット図柄に第一演出図柄のいずれかが決定される割合が高くなるように構成されている。また、先読みはずれターゲット図柄決定テーブルは、変動パターン先読み情報の示すリーチ演出種別に対応する大当たりとなる期待値が低くなるほど、ターゲット図柄に第三演出図柄のいずれかが決定される割合が高くなるように構成されている。なお、先読みはずれターゲット図柄決定テーブルは、ターゲット先読み情報に含まれる変動パターン先読み情報が、「非リーチ」以外の変動パターンを示す場合に、ターゲット図柄が決定されるように定義されている。
【００９３】
また、先読みはずれターゲット図柄決定テーブルは、先読みはずれターゲット図柄決定テーブルが参照されてターゲット図柄が決定される場合、ターゲット演出の最終停止図柄に第三演出図柄のいずれかが決定されるように構成されている。これにより、ターゲット演出によって大当たり判定の結果がはずれであることが報知される場合、リーチ図柄の示す期待値と同じ期待値か、またはリーチ図柄の示す期待値よりも低い期待値を示す演出図柄８０が最終停止図柄として停止することで確定表示態様に至る。例えば、保留報知演出からターゲット演出にかけて、リーチ状態および確定表示態様において表示される演出図柄８０の示す期待値が順に上昇するように推移した場合には、ターゲット演出における確定表示態様において演出図柄８０の示す期待値が低下する。これにより、パチンコ機１は、図柄連続予告演出が終了したことを遊技者に通知することができる。
【００９４】
図１５を参照して、ＲＯＭ５８３に記憶されているシナリオテーブルについて説明する。シナリオテーブルは、後述する演出図柄決定処理（図１８参照）において用いられるテーブルである。本実施形態において、シナリオとは、保留報知演出において表示される最終停止図柄をいずれの演出図柄８０とするかを予め定義する情報である。最終停止図柄をいずれの演出図柄８０とするかを定義するシナリオには、複数のパターンが設けられている。シナリオテーブルには、このような複数のシナリオパターンが格納されている。
【００９５】
図１５に示すように、シナリオテーブルには、「Ｔ」、「Ｎ」、「シナリオパターン」、「Ｎ=３最終停止図柄」、「Ｎ＝２最終停止図柄」、「Ｎ＝１最終停止図柄」、「決定割合」の各項目が設けられている。「Ｔ」は、先読み大当たりターゲット図柄決定テーブル（図１３参照）または先読みはずれターゲット図柄決定テーブル（図１４参照）に基づいて決定されたターゲット演出における確定表示態様のうちリーチ図柄に対応する演出図柄８０を示す。「Ｎ」は、ターゲット演出の実行前に実行される保留報知演出の回数を示す。ターゲット保留が記憶された時点において、ターゲット保留よりも先に記憶されている保留乱数の数は、ターゲット保留が記憶されるタイミングに応じてさまざまである。「Ｎ」が「３」であれば、ターゲット演出の実行前に３回の保留報知演出が実行される場合であることが示される。また、「Ｎ」が「２」であれば、ターゲット演出の実行前に２回の保留報知演出が実行される場合であり、「Ｎ」が「１」であれば、ターゲット演出の実行前に１回の保留報知演出が実行される場合であることが示される。シナリオテーブルにおいて、「Ｎ」の値毎に、異なるシナリオパターンが割り当てられている。
【００９６】
「Ｎ=３最終停止図柄」は、ターゲット演出の３回前に実行される保留報知演出における最終停止図柄を示す。「Ｎ=２最終停止図柄」は、ターゲット演出の２回前に実行される保留報知演出における最終停止図柄を示す。「Ｎ=１最終停止図柄」は、ターゲット演出の１回前に実行される保留報知演出における最終停止図柄を示す。「決定割合」は、「Ｔ」および「Ｎ」毎にシナリオパターンが決定される割合を示す。「決定割合」において、大当たり乱数先読み情報が「大当たり」を示す情報である場合を示す「先読み大当たり」と、大当たり乱数先読み情報が「はずれ」を示す情報である場合を示す「先読みはずれ」とで、異なる割合が定義されている。
【００９７】
ここで、本実施形態におけるシナリオテーブルでは、「Ｔ」の示す演出図柄８０、および「Ｎ」の値に関わらず、「Ｎ=１最終停止図柄」には、「Ｔ」と同じ演出図柄８０が定義されている。したがって、パチンコ機１においてシナリオテーブルが参照されて保留報知演出の最終停止図柄が決定される場合、ターゲット演出の直前に実行される保留報知演出の最終停止図柄と、ターゲット演出におけるリーチ図柄とが同じ演出図柄８０とされる。言い換えると、パチンコ機１は、図柄連続予告演出において、ターゲット演出の直前に実行される保留報知演出において、ターゲット図柄を予告する。前述したように、ターゲット図柄がいずれの演出図柄８０であるかによって、ターゲット演出の期待値が示される。パチンコ機１は、ターゲット演出の直前に実行される保留報知演出の最終停止図柄に対して遊技者の注目を集め、ターゲット演出に対する期待感を向上させることができる。
【００９８】
また、シナリオテーブルに格納されているシナリオにおいて、「Ｔ」の示す期待値と同じ期待値を示す演出図柄８０、または「Ｔ」の示す期待値よりも低い期待値の演出図柄８０が、保留報知演出における最終停止図柄として定義されている。このため、図柄連続予告演出において、保留報知演出の最終停止図柄の示す期待値が、「Ｔ」の示す期待値を上回ることがない。即ち、図柄連続予告演出において、保留報知演出からターゲット演出にかけて、演出図柄８０によって示される期待値が同程度で推移するか、または順に上昇するように推移する。このため、パチンコ機１は、図柄連続予告演出の実行中に、遊技者の期待感が低下することを防止できる。
【００９９】
「Ｔ」が第一演出図柄である「７」の数字を示す演出図柄８０である場合において、具体的に説明する。シナリオパターンのうち「パターン１」「パターン２」「パターン８」「パターン９」「パターン１３」は、全ての保留報知演出の最終停止図柄が第一演出図柄（「３」または「７」）となるように定義されている。この場合、図柄予告演出において、保留報知演出の最終停止図柄によって示される期待値が最も高い水準で保たれた状態で、ターゲット演出においてリーチ図柄が表示されるに至る。したがって、パチンコ機１は、図柄予告演出の実行中において、遊技者の期待感を最も高い水準に保ちながら、遊技を進行させることができる。
【０１００】
また、シナリオパターンのうち「パターン３」「パターン４」「パターン１０」「パターン１１」は、保留報知演出が連続して進行するのに伴い、最終停止図柄が第二演出図柄（「１」または「５」）から、第一演出図柄（「３」または「７」）となるように定義されている。「パターン６」「パターン１３」は、保留報知演出が連続して進行するのに伴い、最終停止図柄が第三演出図柄（「２」「４」「６」のいずれか）から、第一演出図柄（「３」または「７」）となるように定義されている。また、「パターン５」は、保留報知演出が連続して進行するのに伴い、最終停止図柄が第三演出図柄である「２」から、第二演出図柄である「１」を経て、第一演出図柄である「７」へと推移する。このような場合、保留報知演出の最終停止図柄の示す期待値が、保留報知演出が連続して実行されるのにつれて上昇されるので、パチンコ機１は、ターゲット演出に向けて遊技者の期待感を徐々に向上させることができる。原則として、パチンコ機１は、連続して実行される保留報知演出の最終停止図柄の期待値を、ターゲット図柄の示す期待値と同じか、ターゲット図柄の示す期待値に対して順に上昇させる。パチンコ機１は、このような法則性に基づいて保留報知演出の最終停止図柄を定義することで、図柄連続予告演出の楽しみ方に対する遊技者の理解を促すことができる。
【０１０１】
さらに、シナリオパターンのうち「パターン７」は、「Ｎ＝３最終停止図柄」に第二演出図柄である「５」、「Ｎ＝２最終停止図柄」に第三演出図柄である「６」、「Ｎ＝１最終停止図柄」に「Ｔ」と同じ第一演出図柄である「７」が、それぞれ定義されている。これは、「Ｎ＝３最終停止図柄」から「Ｎ＝２最終停止図柄」において一旦期待値が低下した後に、「Ｎ＝１最終停止図柄」において期待値が上昇する定義となっている。この点において、「パターン７」は、ターゲット図柄の示す期待値に対して順に期待値が上昇するといった、上記の法則性に反する定義となっている。しかし、「パターン７」は、保留報知演出が実行されると、最終停止図柄が「５」→「６」→「７」と、演出図柄８０の示す数字が順に大きくなり、最終的に、ターゲット図柄である「７」に至るように保留報知演出それぞれの最終停止図柄が定義されている。パチンコ機１では、保留報知演出における最終停止図柄が法則性に反する挙動を示す意外性によって、遊技者の期待感を煽ることを図るため、「パターン７」のような最終停止図柄の定義を敢えて行っている。このような法則性に反する定義を、以下、「法則崩れ」ともいう。なお、「パターン１３」は、「パターン７」の示す最終停止図柄の推移を、２回の保留報知演出において表現した例ともいえる。
【０１０２】
シナリオテーブルでは、法則崩れとなるシナリオパターンが所定の割合で決定されるように、決定割合が定められている。「パターン７」および「パターン１３」の決定割合の値は、「先読みはずれ」の場合よりも「先読み大当たり」の場合の方が高い。このため、図柄連続予告演出において法則崩れが発生した場合、遊技者の大当たりへの期待感を効果的に高めることができる。なお、法則崩れのシナリオパターンの決定割合は、「パターン７」および「パターン１３」以外の、法則性に基づいたシナリオパターンの決定割合よりも低く設定されている。パチンコ機１は、法則崩れのシナリオパターンを設けることで、保留報知演出における最終停止図柄の法則性に対する遊技者の理解を促しつつ、法則崩れによる意外性によって遊技者の期待感を高めることができる。
【０１０３】
また、「パターン７」および「パターン１３」以外の、法則性に基づいたシナリオパターンの決定割合については、期待値の高い演出図柄８０が最終停止図柄として用いられるシナリオパターンであるほど、先読み大当たりの場合の決定割合が、先読みはずれの場合の決定割合よりも高くなるように定義されている。例えば、「Ｎ＝３最終停止図柄」および「Ｎ＝２最終停止図柄」に第一演出図柄が用いられる「パターン１」と「パターン２」との先読み大当たりの場合の決定割合の合計（３０％）は、先読みはずれの場合の決定割合の合計（１５％）よりも高い。また、「Ｎ＝３最終停止図柄」および「Ｎ＝２最終停止図柄」に第三演出図柄が用いられる「パターン６」の先読み大当たりの場合の決定割合（１０％）は、先読みはずれの場合の決定割合（２０％）よりも低い。このため、保留報知演出の最終停止図柄に期待値の高い演出図柄８０が用いられるほど、先読み大当たりである可能性が高くなる。パチンコ機１は、保留報知演出の最終停止図柄の決定割合をこのように定義することで、図柄連続予告演出において表示される演出図柄８０に遊技者の注目を集め、遊技者の期待感を、保留報知演出の最終停止図柄に応じて向上させることができる。
【０１０４】
パチンコ機１は、このようなシナリオテーブルを用いることで、ターゲット演出によって報知される大当たり判定の判定結果およびターゲット演出で実行されるリーチ演出の示す期待値に応じた保留報知演出の最終停止図柄を決定することができる。また、シナリオテーブルを用いることで、一定の法則性に従ったシナリオパターンに加えて、法則崩れのシナリオパターンも設けることができるので、図柄連続予告演出を、より面白味のある内容にすることができる。パチンコ機１は、特に、ターゲット図柄が第一演出図柄である場合に、シナリオテーブルを用いて保留報知演出の最終停止図柄を決定する。パチンコ機１は、ターゲット演出の期待値が最も高い場合に、シナリオテーブルを用いて最終停止図柄を決定するので、ターゲット演出に向けて遊技者の期待感を効果的に向上させることができる。
【０１０５】
図１６を参照して、ＲＯＭ５８３に記憶されている最終停止図柄決定テーブルについて説明する。最終停止図柄決定テーブルは、後述する演出図柄決定処理（図１８参照）において用いられるテーブルである。本実施形態において、保留報知演出において表示される最終停止図柄を、シナリオによらず１回の保留報知演出毎に決定する場合に、最終停止図柄決定テーブルが用いられる。パチンコ機１は、ターゲット図柄が第二演出図柄または第三演出図柄である場合に、最終停止図柄決定テーブルを用いて保留報知演出の最終停止図柄を決定する。
【０１０６】
図１６に示すように、最終停止図柄決定テーブルには、「Ｔ」、「最終停止図柄」、「決定割合」の各項目が設けられている。「Ｔ」は、図１５と同様に、ターゲット演出における確定表示態様のうちリーチ図柄に対応する演出図柄８０を示す。「Ｎ」は、図１５と同様に、ターゲット演出の実行前に実行される保留報知演出の回数を示す。「最終停止図柄」は、「Ｎ=３最終停止図柄」「Ｎ=２最終停止図柄」「Ｎ=１最終停止図柄」として決定される最終停止図柄の種類を示す。「決定割合」は、「Ｎ=３最終停止図柄」「Ｎ=２最終停止図柄」「Ｎ=１最終停止図柄」のそれぞれが決定される割合を示す。
【０１０７】
具体的に説明する。「Ｔ」が第三演出図柄（「２」「４」「６」のいずれか）の場合、最終停止図柄決定テーブルに基づいて、「Ｎ=３最終停止図柄」および「Ｎ=２最終停止図柄」として、第三演出図柄のうちいずれかが決定される。即ち、ターゲット図柄の示す期待値と同じ期待値を示す演出図柄８０が、「Ｎ=３最終停止図柄」および「Ｎ=２最終停止図柄」として決定される。また、「Ｎ＝１最終停止図柄」には、「Ｔ」と同じ演出図柄８０が定義されている。このため、図柄連続予告演出において、保留報知演出の最終停止図柄の示す期待値が、ターゲット図柄の示す期待値を上回ることがない。パチンコ機１は、保留報知演出において、ターゲット図柄の示す期待値を基準とした一定の期待感を遊技者に与えることができる。
【０１０８】
「Ｔ」が第二演出図柄（「１」または「５」）の場合、最終停止図柄決定テーブルに基づいて、「Ｎ=３最終停止図柄」として第二演出図柄のうちいずれかが６０％の決定割合で、また、第三演出図柄のうちいずれかが４０％の決定割合で決定される。「Ｎ=２最終停止図柄」の決定には、「ケース１」と「ケース２」との２つのパターンが設けられている。「ケース１」は、「Ｎ＝３最終停止図柄」として第三演出図柄のうちいずれかが決定された場合に参照されるテーブルである。「ケース１」では、「Ｎ=２最終停止図柄」として第二演出図柄のうちいずれかが６０％の決定割合で、また、第三演出図柄のうちいずれかが４０％の決定割合で決定される。「ケース２」は、「Ｎ＝３最終停止図柄」として第二演出図柄のうちいずれかが決定された場合に参照されるテーブルである。「ケース２」では、「Ｎ＝２最終停止図柄」として、第二演出図柄のうちいずれかが１００％の決定割合で決定される。また、「Ｎ＝１最終停止図柄」には、「Ｔ」と同じ演出図柄８０が定義されている。このため、パチンコ機１は、図柄連続予告演出において、保留報知演出の最終停止図柄の示す期待値を、ターゲット図柄の示す期待値と同じか、ターゲット図柄の示す期待値に対して順に上昇させることができる。
【０１０９】
図１７から図２６を参照して、サブ制御基板５８が実行するサブ制御基板処理と、本実施形態において実行される図柄連続予告演出の詳細について説明する。サブ制御基板処理では、主基板４１から送信されるコマンドに従って、表示画面２８、スピーカ４８等による報知演出を制御する処理が行われる。特に、サブ制御基板処理では、図柄連続予告演出が制御される。サブ制御基板処理は、ＲＯＭ５８３に記憶されているプログラムに従って、ＣＰＵ５８１によって実行される。
【０１１０】
まず、サブ制御基板処理で使用されるフラグについて説明する。サブ制御基板５８のＲＡＭ５８２には、最終停止図柄決定フラグ、連続予告フラグ等が記憶されている。最終停止図柄決定フラグは、最終停止図柄決定テーブル（図１６参照）に基づいて保留報知演出の最終停止図柄を決定する場合に「１」が記憶されて「ＯＮ」となり、最終停止図柄決定テーブルに基づいて保留報知演出の最終停止図柄を決定しない場合に「０」が記憶されて「ＯＦＦ」となる。連続予告フラグは、図柄連続予告演出の実行が決定されてから、ターゲット演出が確定表示されて終了するまでの間に「１」が記憶されて「ＯＮ」となり、それ以外の場合に「０」が記憶されて「ＯＦＦ」となる。
【０１１１】
図１７に示すように、サブ制御基板処理が開始されると、主基板４１から保留球数通知コマンドを受信したか否かが判断される（Ｓ１５１）。保留球数通知コマンドを受信していない場合（Ｓ１５１：ＮＯ）、処理はＳ１５４の判断へ移行する。保留球数通知コマンドを受信した場合（Ｓ１５１：ＹＥＳ）、保留球数通知コマンドによって通知された情報に応じた第一保留球数がＲＡＭ５８２に記憶される（Ｓ１５２）。具体的には、保留球数通知コマンドによって通知された情報が、第一保留球数が「１」加算されたことを通知する情報の場合、ＣＰＵ５８１は、ＲＡＭ５８２に記憶されている第一保留球数に「１」を加算する。保留球数通知コマンドによって通知された情報が、第一保留球数が「１」減算されたことを通知する情報の場合、ＣＰＵ５８１は、ＲＡＭ５８２に記憶されている第一保留球数から「１」を減算する。
【０１１２】
次いで、ＲＡＭ５８２に記憶されている第一保留球数と同じ数の保留表示９０（図２１参照）を表示画面２８に表示させる処理が行われる（Ｓ１５３）。図２１（Ａ）は、報知演出の実行中において、第一保留球数が３個である場合の表示画面２８の一例を示す。図２１（Ａ）は、３つの演出図柄８０のうち最も左に配置される演出図柄８０（以下、「左図柄」ともいう。）と中央に配置される演出図柄８０（以下、「中図柄」ともいう。）が変動を停止しており、最も右に配置される演出図柄８０（以下、「右図柄」ともいう。）が未だ変動中であることを示す。３つの演出図柄８０よりも下側において、第一保留球数と同じ数の３個の保留表示９０が表示されている。この状態で第一保留球数が「１」加算された場合、図２１（Ｂ）に示すように、対応する保留表示９０が１個追加表示される。このタイミングで記憶された第一保留乱数がターゲット保留であるとして、以下説明する。図２１（Ｂ）に示すように、新たに記憶されたターゲット保留に対応する保留表示９０を、既に記憶されている第一保留乱数に対応する保留表示９０とは異なる態様の特殊表示９１としてもよい。図２１（Ｂ）は、ターゲット保留が記憶された後に演出図柄８０のうち最終停止図柄である右図柄８１が停止し、３つの演出図柄８０が確定表示されて報知演出が終了した状態の一例を示す。
【０１１３】
図１７の説明に戻る。次いで、主基板４１から先読みコマンドを受信したか否かが判断される（Ｓ１５４）。先読みコマンドを受信していない場合（Ｓ１５４：ＮＯ）、処理はＳ１５６の判断へ移行する。先読みコマンドを受信した場合（Ｓ１５４：ＹＥＳ）、演出図柄決定処理が実行されて（Ｓ１５５）、処理はＳ１５６の判断へ移行する。
【０１１４】
図１８を参照して、演出図柄決定処理（Ｓ１５５、図１７参照）について詳細に説明する。演出図柄決定処理では、新たに記憶された第一保留乱数をターゲット保留として扱うか否かを決定し、ターゲット保留として扱う場合には、ターゲット先読み情報に応じてターゲット図柄を決定する処理が行われる。
【０１１５】
図１８に示すように、演出図柄決定処理が開始されると、連続予告フラグが「ＯＮ」であるか否かが判断される（Ｓ１７１）。連続予告フラグが「ＯＮ」の場合（Ｓ１７１：ＹＥＳ）、処理はサブ制御基板処理（図１７参照）へ戻る。これは、既に図柄連続予告演出の実行が決定されている場合に、重複して図柄連続予告演出の実行が決定されて、処理が複雑化することを回避するためである。
【０１１６】
一方、連続予告フラグが「ＯＦＦ」の場合（Ｓ１７１：ＮＯ）、先読みコマンドによって通知された大当たり乱数先読み情報、変動パターン先読み情報、および大当たり乱数先読み情報が「大当たり」を示す情報の場合に取得される大当たり種別先読み情報が、ＲＡＭ５８２に記憶される（Ｓ１７２）。次いで、ＲＡＭ５８２に記憶されている第一保留球数が参照される（Ｓ１７３）。第一保留球数が「２」以上であるか否かが判断される（Ｓ１７４）。第一保留球数が「２」未満の場合（Ｓ１７４：ＮＯ）、処理はサブ制御基板処理（図１７参照）へ戻る。これは、ターゲット保留を含めて２個以上の第一保留乱数が記憶されている場合に、図柄連続予告演出の実行を決定するためである。
【０１１７】
第一保留球数が「２」以上の場合（Ｓ１７４：ＹＥＳ）、連続予告実行抽選を実行する（Ｓ１７５）。連続予告実行抽選では、新たに記憶された第一保留乱数に基づいて図柄連続予告演出を実行するか否かが、抽選によって決定される。ＣＰＵ５８１は、連続予告実行抽選において、例えば先読みコマンドを受信したことを契機として連続予告実行抽選のために用いる乱数を取得し、取得した乱数に基づいて図柄連続予告演出を実行するか否かを所定の割合で決定する。言い換えると、新たに記憶された第一保留乱数をターゲット保留として扱うか否かを決定する。次いで、連続予告実行抽選の結果、図柄予告演出を実行すると決定されたか否かが判断される（Ｓ１７６）。図柄連続予告演出を実行しないと決定された場合（Ｓ１７６：ＮＯ）、処理はサブ制御基板処理（図１７参照）へ戻る。
【０１１８】
図柄連続予告演出を実行すると決定された場合（Ｓ１７６：ＹＥＳ）、Ｓ１７２の処理においてＲＡＭ５８２に記憶された大当たり乱数先読み情報が参照される（Ｓ１７７）。参照された大当たり乱数先読み情報が、先読み大当たりであるか否かが判断される（Ｓ１７８）。大当たり乱数先読み情報が先読み大当たりである場合（Ｓ１７８：ＹＥＳ）、１７２の処理においてＲＡＭ５８２に記憶された大当たり種別先読み情報が参照される（Ｓ１７９）。次いで、ＲＯＭ５８３に記憶されている先読み大当たりターゲット図柄決定テーブル（図１３参照）が参照されて、ターゲット保留に対応するターゲット演出について、大当たり種別先読み情報に応じたターゲット図柄が決定される（Ｓ１８０）。決定されたターゲット図柄は、ＲＡＭ５８２に記憶される。処理はＳ１８４へ移行する。
【０１１９】
一方、Ｓ１７７の処理において参照された大当たり乱数先読み情報が先読みはずれである場合（Ｓ１７８：ＮＯ）、Ｓ１７２の処理においてＲＡＭ５８２に記憶された変動パターン先読み情報が参照される（Ｓ１８１）。参照された変動パターン先読み情報が「非リーチ」の変動パターンを示すか否かが判断される（Ｓ１８２）。参照された変動パターン先読み情報が「非リーチ」の変動パターンを示す場合（Ｓ１８２：ＹＥＳ）、処理はサブ制御基板処理へ戻る。変動パターン先読み情報が「非リーチ」以外の変動パターンを示す場合（Ｓ１８２：ＮＯ）、ＲＯＭ５８３に記憶されている先読みはずれターゲット図柄決定テーブル（図１４参照）が参照されて、ターゲット保留に対応するターゲット演出について、変動パターン先読み情報に応じたターゲット図柄が決定される（Ｓ１８３）。決定されたターゲット図柄は、ＲＡＭ５８２に記憶される。処理はＳ１８４へ移行する。
【０１２０】
次いで、「Ｎ」の値を、第一保留球数から「１」を減じた値に設定する（Ｓ１８４）。これによって、「Ｎ」が、ターゲット演出より前に実行される保留報知演出の回数を示すように設定される。設定された「Ｎ」の値は、ＲＡＭ５８２に記憶される。次いで、決定されたターゲット図柄が第一演出図柄であるか否かが判断される（Ｓ１８５）。決定されたターゲット図柄が第一演出図柄の場合（Ｓ１８５：ＹＥＳ）、ＲＯＭ５８３に記憶されているシナリオテーブル（図１５参照）が参照されて、「Ｎ」の値に応じたシナリオパターンが１つ決定される（Ｓ１８６）。決定されたシナリオパターンが、ＲＡＭ５８２に記憶される（Ｓ１８８）。処理はＳ１９０へ移行する。一方、決定されたターゲット図柄が第二演出図柄または第三演出図柄の場合（Ｓ１８５：ＮＯ）、最終停止図柄決定フラグが「ＯＮ」となり（Ｓ１８９）、処理はＳ１９０へ移行する。次いで、連続予告フラグが「ＯＮ」となり（Ｓ１９０）、処理はサブ制御基板処理（図１７参照）へ戻る。
【０１２１】
図１７の説明に戻る。次いで、主基板４１から変動パターン指定コマンドを受信したか否かが判断される（Ｓ１５６）。変動パターン指定コマンドを受信していない場合（Ｓ１５６：ＮＯ）、処理はＳ１５８の判断へ移行する。変動パターン指定コマンドを受信した場合（Ｓ１５６：ＹＥＳ）、報知演出制御処理が実行されて（Ｓ１５７）、処理はＳ１５８の判断へ移行する。
【０１２２】
図１９を参照して、報知演出制御処理（Ｓ１５７、図１７参照）について詳細に説明する。報知演出制御処理では、演出図柄８０を用いて大当たり判定の判定結果を報知する報知演出の制御、特に、保留報知演出およびターゲット演出の制御が行われる。
【０１２３】
図１９に示すように、報知演出制御処理が開始されると、主基板４１から受信した変動パターン指定コマンドによって指定された変動パターンが、ＲＡＭ５８２に記憶される（Ｓ２０１）。次いで、ＲＡＭ５８２に記憶された変動パターンが第一変動パターン決定乱数に基づく第一変動パターンであるか否かが判断される（Ｓ２０２）。変動パターンが第二変動パターン決定乱数に基づく第二変動パターンである場合（Ｓ２０２：ＮＯ）、第二変動パターンに応じて報知演出が制御されて（Ｓ２１６）、処理はサブ制御基板処理（図１７参照）へ戻る。
【０１２４】
変動パターンが第一変動パターンである場合（Ｓ２０２：ＹＥＳ）、連続予告フラグが「ＯＮ」であるか否かが判断される（Ｓ２０３）。連続予告フラグが「ＯＦＦ」の場合（Ｓ２０３：ＮＯ）、第一変動パターンに応じて報知演出が制御されて（Ｓ２１６）、処理はサブ制御基板処理へ戻る。
【０１２５】
連続予告フラグが「ＯＮ」の場合（Ｓ２０３：ＹＥＳ）、ＲＡＭ５８２に記憶された「Ｎ」の値が「１」以上であるか否かが判断される（Ｓ２０４）。ここで、連続予告フラグが「ＯＮ」となっている場合において「Ｎ」の値が「１」以上の場合、今回の報知演出制御処理において制御する報知演出は保留報知演出である。「Ｎ」の値が「１」以上の場合（Ｓ２０４：ＹＥＳ）、最終停止図柄決定フラグが「ＯＮ」であるか否かが判断される（Ｓ２０５）。最終停止図柄決定フラグが「ＯＦＦ」の場合（Ｓ２０５：ＮＯ）、Ｓ１８８（図１８参照）の処理においてＲＡＭ５８２に記憶されたシナリオパターンが参照されて、シナリオパターンから「Ｎ」の値に応じた最終停止図柄が取得される（Ｓ２０６）。取得された最終停止図柄は、ＲＡＭ５８２に記憶される。処理はＳ２０８へ移行する。
【０１２６】
一方、最終停止図柄決定フラグが「ＯＮ」の場合（Ｓ２０５：ＹＥＳ）、ＲＯＭ５８３に記憶されている最終停止図柄決定テーブル（図１６参照）が参照されて、「Ｎ」の値に応じた最終停止図柄が決定される（Ｓ２０７）。決定された最終停止図柄は、ＲＡＭ５８２に記憶される。処理はＳ２０８へ移行する。
【０１２７】
次いで、リーチ図柄決定処理が実行される（Ｓ２０８）。リーチ図柄決定処理では、今回の報知演出制御処理において制御する保留報知演出におけるリーチ図柄が、既に決定されてＲＡＭ５８２に記憶されている最終停止図柄に応じて決定される。リーチ図柄決定処理の詳細については後述する。
【０１２８】
次いで、最終停止図柄と、リーチ図柄決定処理において決定されたリーチ図柄とを用いて、保留報知演出をリーチ演出として実行するための制御が行われる（Ｓ２０９）。保留報知演出は、Ｓ２０１の処理において記憶された変動パターンに応じて定められている特別図柄の変動時間と同期したリーチ演出として実行される。このため、例えば、Ｓ２０１で記憶された変動パターンが「非リーチ」を示す場合であっても、保留報知演出はリーチ演出として実行される。保留報知演出は、３つの演出図柄８０が変動を開始した後、リーチ図柄決定処理において決定された演出図柄８０がリーチ図柄として用いられてリーチ状態が構成され、その後に最終停止図柄が停止されて終了する。このようにすることで、パチンコ機１は、図柄連続予告演出において保留報知演出からターゲット演出に亘ってリーチ演出を繰り返し実行し、遊技者の期待感を向上させることができる。その後処理はサブ制御処理（図１７参照）へ戻る。
【０１２９】
図２０を参照して、リーチ図柄決定処理（Ｓ２０８、図１９参照）について詳細に説明する。図２０に示すように、リーチ図柄決定処理が開始されると、今回に実行を制御する保留報知演出に対して前回実行された保留報知演出についての最終停止図柄（以下、「前回最終停止図柄」という。）がＲＡＭ５８２に記憶されているか否かが判断される（Ｓ２２１）。今回に実行を制御する保留報知演出が、図柄予告演出が開始されてから複数回目の保留報知演出である場合には、前回最終停止図柄がＲＡＭ５８２に記憶されている。一方、今回に実行を制御する保留報知演出が、連続予告フラグが「ＯＮ」とされてから最初に制御されるものである場合には、前回最終停止図柄はＲＡＭ５８２に記憶されていない。前回最終停止図柄がＲＡＭ５８２に記憶されていない場合（Ｓ２２１：ＮＯ）、Ｓ２０５またはＳ２０６（図１９参照）の各処理において取得または決定された今回に実行を制御する最終停止図柄（以下、「今回最終停止図柄」という。）が参照される（Ｓ２２２）。そして、今回最終停止図柄に対して期待値が同じかまたは低い演出図柄８０が、今回の保留報知演出のリーチ図柄として決定される（Ｓ２２２）。処理は報知演出制御処理（図１９参照）へ戻る。
【０１３０】
図２２を参照して、今回最終停止図柄に対して期待値が同じかまたは期待値の低い演出図柄８０が、今回の保留報知演出のリーチ図柄として決定される場合について具体的に説明する。図２２（Ｃ）は、「Ｎ＝３」の保留報知演出が開始され、３つの演出図柄８０のそれぞれが変動表示中である場合の表示画面２８の一例を示す。ここで、図２１に示す前回の報知演出の実行中に記憶されたターゲット保留のターゲット先読み情報に基づいて、Ｓ１８０またはＳ１８３（図１８参照）の処理によって、ターゲット図柄として「７」を示す演出図柄８０が決定されているとする。そして、決定されたターゲット図柄に応じて、Ｓ１８６（図１８参照）の処理において、シナリオテーブル（図１５参照）から「パターン５」のシナリオパターンが決定されたとする。図１５に示すように、「パターン５」のシナリオパターンには、今回最終停止図柄である「Ｎ＝３最終停止図柄」が、「２」を示す演出図柄８０と定義されている。なお、「Ｎ＝３」の保留報知演出よりも前に保留報知演出は実行されていないので、前回最終停止図柄は記憶されていない。
【０１３１】
この場合、今回最終停止図柄である「２」を示す演出図柄８０に対して、期待値が同じか低くなる演出図柄８０が、リーチ図柄として決定される（Ｓ２２２）。「２」を示す演出図柄８０は、期待値の最も低い第三演出図柄に属する。このため、「２」よりも低い期待値を示す演出図柄８０は存在しないので、同じ期待値を示す第三演出図柄（「２」「４」「６」）のうちからいずれかの演出図柄８０がリーチ図柄として決定される。なお、リーチ図柄決定処理では、今回最終停止図柄とリーチ図柄とが同じ演出図柄８０にならないように、リーチ図柄が決定される。Ｓ２２２においてリーチ図柄として「４」を示す演出図柄８０が決定されたとする。この場合、図２２（Ｄ）に示すように、左図柄と中図柄とが「４」を示す２つの演出図柄８０によるリーチ図柄８３が、表示画面２８に表示される。その後、図２２（Ｅ）に示すように、今回最終停止図柄である「２」を示す演出図柄８０が、右図柄８１として表示画面２８に停止表示されて、「Ｎ＝３」の保留報知演出は確定表示に至る。
【０１３２】
図２０の説明に戻る。一方、前回最終停止図柄がＲＡＭ５８２に記憶されている場合（Ｓ２２１：ＹＥＳ）、前回最終停止図柄と今回最終停止図柄とが同じ演出図柄８０であるか否かが判断される（Ｓ２２３）。前回最終停止図柄と今回最終停止図柄とが異なる演出図柄８０の場合（Ｓ２２３：ＮＯ）、前回最終停止図柄と同じ演出図柄８０が、今回の保留報知演出のリーチ図柄に決定される（Ｓ２２４）。処理は報知演出制御処理（図１９参照）へ戻る。また、前回最終停止図柄と今回最終停止図柄とが同じ演出図柄８０の場合（Ｓ２２３：ＹＥＳ）、前回最終停止図柄と同じ期待値を示す演出図柄８０が、今回の保留報知演出のリーチ図柄に決定される（Ｓ２２５）。
【０１３３】
図２３および図２４を参照して、前回最終停止図柄と同じ演出図柄８０が、今回の保留報知演出のリーチ図柄として決定される場合について具体的に説明する。図２３（Ｆ）は、「Ｎ＝２」の保留報知演出が開始された場合の表示画面２８の一例を示す。ここで、図２２に引き続き、ターゲット図柄として「７」を示す演出図柄８０が決定されており、且つ、「パターン５」のシナリオパターンが決定されているとする。この場合、「パターン５」のシナリオパターンには、前回最終停止図柄である「Ｎ＝３最終停止図柄」に「２」、今回最終停止図柄である「Ｎ＝２最終停止図柄」に「１」を示す演出図柄８０が定義されている。前回最終停止図柄と今回最終停止図柄とが異なる演出図柄８０であるので、リーチ図柄として前回最終停止図柄である「２」を示す演出図柄８０が決定される（Ｓ２２４）。この場合、図２３（Ｇ）に示すように、左図柄と中図柄とにおいて、「２」を示す２つの演出図柄８０によるリーチ図柄８３が、表示画面２８に表示される。その後、図２３（Ｈ）に示すように、今回最終停止図柄である「１」を示す演出図柄８０が、右図柄８１として表示画面２８に停止表示されて、「Ｎ＝２」の保留報知演出は確定表示に至る。
【０１３４】
図２４（Ｉ）は、「Ｎ＝１」の保留報知演出が開始された場合の表示画面２８の一例を示す。「パターン５」のシナリオパターンには、前回最終停止図柄である「Ｎ＝２最終停止図柄」に「１」、今回最終停止図柄である「Ｎ＝１最終停止図柄」に、ターゲット図柄と同じ「７」を示す演出図柄８０が定義されている。前回最終停止図柄と今回最終停止図柄とが異なる演出図柄８０であるので、リーチ図柄として前回最終停止図柄である「１」を示す演出図柄８０が決定される（Ｓ２２４）。この場合、図２４（Ｊ）に示すように、左図柄と中図柄とにおいて、「１」を示す２つの演出図柄８０によるリーチ図柄８３が、表示画面２８に表示される。その後、図２３（Ｋ）に示すように、今回最終停止図柄である「７」を示す演出図柄８０が、右図柄８１として表示画面２８に停止表示されて、「Ｎ＝１」の保留報知演出は確定表示に至る。
【０１３５】
また、図示しないが、前回最終停止図柄と今回最終停止図柄とが同じ演出図柄８０であるため、前回最終停止図柄と同じ期待値を示す演出図柄が、今回の保留報知演出のリーチ図柄として決定される場合についても説明する。例えば、Ｓ１８３（図１８参照）の処理によって、ターゲット図柄として第三演出図柄が決定されているとする。この場合、最終停止図柄決定テーブル（図１６参照）が参照されて、「Ｎ＝３最終停止図柄」「Ｎ＝２最終停止図柄」「Ｎ＝１最終停止図柄」のいずれも、第三演出図柄のうちいずれかが決定される。例えば、「Ｎ＝１最終停止図柄」と「Ｎ＝２最終停止図柄」とがともに「２」を示す演出図柄８０に決定された場合、「Ｎ＝２」の保留報知演出のリーチ図柄は、前回最終停止図柄である「２」と同じ期待値を示す第三演出図柄のうちから決定される（Ｓ２２５）。この場合、例えば「Ｎ＝３」の保留報知演出における３つの演出図柄８０の確定表示態様が、「左中右」図柄の順に「４４２」であるとすると、「Ｎ＝２」の保留報知演出における３つの演出図柄８０の確定表示態様は、「４４２」または「６６２」に決定される。
【０１３６】
このようにして、保留報知演出において、表示画面２８に表示される演出図柄８０が保留報知演出の相互において連動しつつ、繰り返しリーチ状態が構成される。パチンコ機１は、遊技者の興味を図柄連続予告演出に惹きつけることができる。そして、パチンコ機１は、遊技者にターゲット演出においていずれのターゲット図柄が用いられるかを、遊技者に意識づけることができる。また、保留報知演出において表示される演出図柄８０の示す期待値は、ターゲット図柄の示す期待値に対して低下することがないので、図柄予告演出の実行によって、遊技者の期待感は一定に保たれるか向上されやすくなる。このようにして、パチンコ機１は、図柄予告演出の全体に遊技者の注目を集めることができる。
【０１３７】
図１９の説明に戻る。連続予告フラグが「ＯＮ」となっている場合において「Ｎ」の値が「０」の場合、今回の報知演出制御処理において制御する報知演出はターゲット演出である。Ｓ２０４の判断において「Ｎ」の値が「０」の場合（Ｓ２０４：ＮＯ）、Ｓ１８０またはＳ１８３の処理において決定されてＲＡＭ５８２に記憶されているターゲット図柄を、今回の報知演出制御処理において制御する報知演出のリーチ図柄として取得する（Ｓ２１１）。
【０１３８】
次いで、ターゲット演出の報知する大当たり判定の判定結果に応じた最終停止図柄を決定する（Ｓ２１２）。具体的には、ＣＰＵ５８１は、Ｓ２０１の処理において記憶した変動パターンに基づいて、ターゲット演出の報知する大当たり判定の判定結果が「大当たり」であるか「はずれ」であるかを判断する。ＣＰＵ５８１は、ターゲット演出が「大当たり」の判定結果を報知する場合、ターゲット図柄と同じ演出図柄８０を、最終停止図柄に決定する。また、ＣＰＵ５８１は、ターゲット演出が「大当たり」の判定結果を報知する場合、ターゲット図柄とは異なる演出図柄８０を、最終停止図柄に決定する。
【０１３９】
次いで、最終停止図柄決定フラグが「ＯＦＦ」となる（Ｓ２１３）。次いで、Ｓ２１１の処理において取得されたターゲット図柄と、Ｓ２１２の処理において決定された最終停止図柄とを用いて、ターゲット演出が制御される（Ｓ２１４）。ＣＰＵ５８１は、変動パターンに基づいたターゲット演出を制御する（Ｓ２１４）。処理は報知演出制御処理（図１９参照）へ戻る。
【０１４０】
図２５および図２６を参照して、ターゲット演出について具体的に説明する。図２５（Ｌ）は、ターゲット演出が開始された場合の表示画面２８の一例を示す。ここで、図２２から図２４に引き続き、ターゲット図柄として「７」を示す演出図柄８０が決定されているとする。この場合、図２５（Ｍ）に示すように、左図柄と中図柄とにおいて、「７」を示す２つの演出図柄８０によるリーチ図柄８３（ターゲット図柄）が、表示画面２８に表示される。本実施形態において、ターゲット図柄と、ターゲット演出の直前に実行される「Ｎ＝１」の保留報知演出における最終停止図柄とは、同じ演出図柄８０とされる。この保留報知演出とターゲット演出との間における連続性によって、パチンコ機１は、保留報知演出からターゲット演出にかけて、遊技者の期待感を維持することができる。
【０１４１】
その後、ターゲット演出が「大当たり」の判定結果を報知する場合、図２６（Ｐ）に示すように、最終停止図柄としてターゲット図柄と同じ「７」を示す演出図柄８０が、右図柄８１として表示画面２８に停止表示されて確定表示に至り、ターゲット演出は終了する。また、ターゲット演出が「はずれ」の判定結果を報知する場合、図２６（Ｑ）に示すように、最終停止図柄としてターゲット図柄とは異なる「２」を示す演出図柄８０が、右図柄８１として表示画面２８に停止表示されて確定表示に至り、ターゲット演出は終了する。本実施形態では、ターゲット演出が「はずれ」の判定結果を報知する場合、第三演出図柄のうちからいずれかの演出図柄８０が、最終停止図柄として決定される。これは、最も低い期待値を示す演出図柄８０を最終停止図柄として用いることで、図柄連続予告演出において維持してきた遊技者の期待感を一区切りさせ、次回以降の報知演出に期待感が向かわせるためである。
【０１４２】
図１７の説明に戻る。次いで、主基板４１から特別図柄停止コマンドを受信したか否かが判断される（Ｓ１５８）。特別図柄停止コマンドを受信していない場合（Ｓ１５８：ＮＯ）、処理はＳ１６８の判断へ移行する。特別図柄停止コマンドを受信した場合（Ｓ１５８：ＹＥＳ）、大当たり判定の判定結果を示す演出図柄８０の組合せが確定表示される（Ｓ１５９）。
【０１４３】
次いで、確定表示を行った今回の報知演出が、第一変動パターンに基づく報知演出であったか否かが判断される（Ｓ１６１）。この判断は、Ｓ２０１（図１９参照）においてＲＡＭ５８２に記憶された変動パターンが第一変動パターンであるか否かに基づいて行われる。変動パターンが第二変動パターンの場合（Ｓ１６１：ＮＯ）、処理はＳ１６８の判断へ移行する。変動パターンが第一変動パターンの場合（Ｓ１６１：ＹＥＳ）、連続予告フラグが「ＯＮ」であるか否かが判断される（Ｓ１６２）。連続予告フラグが「ＯＦＦ」の場合（Ｓ１６２：ＮＯ）、処理はＳ１６８の判断へ移行する。
【０１４４】
連続予告フラグが「ＯＮ」の場合（Ｓ１６２：ＹＥＳ）、ＲＡＭ５８２に記憶された「Ｎ」の値が「１」以上であるか否かが判断される（Ｓ１６３）。「Ｎ」の値が「１」以上の場合（Ｓ１６３：ＹＥＳ）、「Ｎ」の値が「１」減算されて（Ｓ１６４）、処理はＳ１６８の判断へ移行する。一方、「Ｎ」の値が「０」の場合（Ｓ１６３：ＮＯ）、連続予告フラグが「ＯＦＦ」とされる（Ｓ１６５）。なお、連続予告フラグの「ＯＦＦ」動作にあわせて、ＲＡＭ５８２に記憶されている前回最終停止図柄および今回最終停止図柄が消去される。処理はＳ１６８の判断へ移行する。
【０１４５】
次いで、主基板４１から大当たり遊技開始コマンドを受信したか否かが判断される（Ｓ１６８）。大当たり遊技開始コマンドを受信していない場合（Ｓ１６８：ＮＯ）、処理はＳ１５１の判断へ戻る。大当たり遊技開始コマンドを受信した場合（Ｓ１６８：ＹＥＳ）、大当たり遊技が開始されて（Ｓ１６９）、処理はＳ１５１の判断へ戻る。
【０１４６】
以上説明したように、パチンコ機１では、ターゲット保留に対して実行されるターゲット演出においてリーチ状態を構成するターゲット図柄が、ターゲット先読み情報に基づいて決定される（Ｓ１８０またはＳ１８３）。パチンコ機１は、ターゲット演出よりも先に実行される保留報知演出において用いる演出図柄８０を、ターゲット図柄に応じて決定する（Ｓ１８６またはＳ２０６）。したがって、パチンコ機１は、図柄連続予告演出において、ターゲット演出における演出図柄８０の確定表示態様に応じて保留報知演出を制御することで、ターゲット演出に向けて遊技者の期待感を持続させることができる。
【０１４７】
パチンコ機１は、ターゲット図柄に応じて保留報知演出における最終確定図柄を決定する。このため、パチンコ機１は、図柄連続予告演出において、ターゲット演出の確定表示態様と、保留報知演出の確定表示態様とを関連付けて実行できる。パチンコ機１は、保留報知演出における確定表示態様を、ターゲット図柄を意識したものとすることで、ターゲット演出に対する遊技者の期待感を、保留報知演出によって向上させることができる。
【０１４８】
パチンコ機において、報知演出に用いられる演出図柄８０には、第一演出図柄、第二演出図柄、および第三演出図柄の三つの種別が設けられている。ターゲット演出の期待値が最も高い場合は第一演出図柄が、期待値が中程度の場合は第二演出図柄が、期待値が最も低い場合は第三演出図柄が、それぞれターゲット図柄に用いられる。パチンコ機１のＣＰＵ５８１は、ターゲット図柄を構成する演出図柄８０の示す期待値と同じ期待値か、またはターゲット図柄を構成する演出図柄８０の示す期待値よりも低い期待値を示す演出図柄８０を、保留報知演出の最終停止図柄として決定する。この場合、ターゲット図柄の示す期待値は、保留報知演出における最終停止図柄の示す期待値よりも低くならない。このため、パチンコ機１は、図柄連続予告演出において、ターゲット演出に向けて遊技者の期待感を低下させることなく持続させることができる。
【０１４９】
その他の例として、例えば、前記第二決定手段は、少なくとも前記第二報知演出のうち前記第一報知演出の直前に実行される直前報知演出の前記確定図柄である直前確定図柄における前記最終停止図柄を、前記第一リーチ図柄を構成する前記図柄と同種の前記期待値の前記図柄に決定してもよい。パチンコ機１において、ターゲット演出の直前に実行される「Ｎ＝１」の保留報知演出の最終停止図柄である「Ｎ＝１最終停止図柄」は、ターゲット図柄と同じ数字を示す演出図柄８０に決定される。パチンコ機１は、ターゲット演出においてリーチ図柄として表示するターゲット図柄を、「Ｎ＝１」の保留報知演出において表示することで、保留報知演出においてターゲット図柄を遊技者に予告することができる。したがって、パチンコ機１は、保留報知演出における最終停止図柄に対して遊技者の注目を集め、保留報知演出からターゲット演出へ渡って、遊技者の期待感を高めることができる。
【０１５０】
また、その他の例として、前記第二決定手段は、連続して実行される前記第二報知演出である第三報知演出及び第四報知演出において、前記第三報知演出の前記確定図柄である第三確定図柄の前記最終停止図柄と、前記第三報知演出の後に実行される前記第四報知演出の前記確定図柄である第四確定図柄の前記リーチ図柄である第二リーチ図柄とを同種の前記期待値の前記図柄に決定してもよい。ＣＰＵ５８１は、前回最終停止図柄がＲＡＭ５８２に記憶されている場合（Ｓ２２１：ＹＥＳ）、前回最終停止図柄と同じ演出図柄を今回の保留報知演出のリーチ図柄に決定する（Ｓ２２４）。前回最終停止図柄と今回最終停止図柄とが同じ図柄の場合には、前回最終停止図柄と同じ期待値を示す演出図柄８０を、今回の保留報知演出のリーチ図柄に決定する（Ｓ２２５）。この場合、連続して実行される保留報知演出において、先に実行される保留報知演出の最終停止図柄である前回最終停止図柄と同じ演出図柄８０または同じ期待値を示す演出図柄８０が、後に実行される保留報知演出のリーチ図柄とされる。先に実行される保留報知演出の最終停止図柄と、後に実行される保留報知演出のリーチ図柄とが関連付けられるので、パチンコ機１は、後に実行される保留報知演出のリーチ図柄に基づく期待値を、先に実行される保留報知演出において予告することができる。したがって、パチンコ機１は、先に実行される保留報知演出における最終停止図柄に遊技者の注目を集め、先に実行される保留報知演出から、後に実行される保留報知演出へ渡って、遊技者の期待感を高めることができる。
【０１５１】
本実施形態において、第一始動口１４および第二始動口１５が、本発明の「始動口」に相当する。図８のＳ４５およびＳ５５において乱数を取得する主基板４１のＣＰＵ５１が、本発明の「乱数取得手段」として機能する。図１０のＳ７６およびＳ９６において大当たり判定を行う主基板４１のＣＰＵ５１が、本発明の「大当たり判定手段」として機能する。図１９のＳ２０９、Ｓ２１４およびＳ２１６において報知演出を制御するサブ制御基板５８のＣＰＵ５８１が、本発明の「報知演出実行手段」として機能する。図８のＳ４５およびＳ５５において取得した乱数を記憶するＲＡＭ５２が、本発明の「乱数記憶手段」として機能する。図８のＳ４６において保留乱数先読み情報を取得する主基板４１のＣＰＵ５１が、本発明の「情報取得手段」として機能する。図１８のＳ１８０およびＳ１８３においてターゲット図柄を決定するサブ制御基板５８のＣＰＵ５８１が、本発明の「第一決定手段」として機能する。図１８のＳ１８６および図１９のＳ２０６において保留報知演出の最終停止図柄を決定するサブ制御基板５８のＣＰＵ５８１が、本発明の「第二決定手段」として機能する。
【０１５２】
本発明は、以上詳述した実施形態に限定されるものではなく、本発明の要旨を逸脱しない範囲内において種々の変更が可能である。例えば、上記実施形態では、図柄連続予告演出は、第一大当たり判定の判定結果を報知する報知演出において行われるが、これに限られず、第二大当り判定の判定結果を報知する報知演出において行われてもよい。例えば、本実施形態において、遊技状態が時短状態の場合、第一始動口１４よりも第二始動口１５に容易に遊技球を入賞させることができる。パチンコ機１は、右打ちによって遊技が進行され、主に第二始動口１５に遊技球が入賞する時短状態において図柄連続予告演出を実行してもよい。この場合、第二大当り判定の判定結果を報知する報知演出において図柄連続予告演出を実行するために、新たに記憶された第二保留乱数に対して乱数先読み処理（図１１参照）を行うこととして、その他の処理を行えばよい。
【０１５３】
また、大当たり判定を上記実施形態のように、第二大当たり判定を第一大当たり判定に優先して行うのではなく、第一始動口１４および第二始動口１５のうち遊技球が入賞した順に、対応する第一大当たり判定または第二大当たり判定を行うこととしてもよい。そして、第一保留乱数および第二保留乱数の双方に対して乱数先読み処理を行い、
この場合、最大第一保留球数と最大第二保留球数との合計数に対応した図柄連続予告演出を行うことができるので、ターゲット演出に向けて、より多くの回数の保留報知演出の実行によって遊技者の期待感を向上させることができる。
【０１５４】
上記実施形態では、保留報知演出の最終停止図柄の決定において、ターゲット図柄の期待値の種別に応じて、シナリオテーブルを参照して決定するか、最終停止図柄決定テーブルを参照して決定するかが決定される。例えば、保留報知演出の最終停止図柄が、ターゲット図柄の種別に関わらず、全てシナリオテーブルの参照によって決定されもよい。また、保留報知演出の最終停止図柄が、ターゲット図柄の種別に関わらず、全て最終停止図柄決定テーブルの参照によって決定されてもよい。
【０１５５】
最終停止図柄決定テーブルの参照によって保留報知演出の最終停止図柄を決定する場合、保留報知演出の変動パターンに応じて、最終停止図柄の決定にバリエーションが生ずるようにしてもよい。例えば、保留報知演出の変動パターンが、１回の報知演出において演出図柄８０が仮停止表示を挟んで複数回の変動表示が行われる、所謂疑似連演出を指定する場合に、最終停止図柄の決定手法を変化させてもよい。具体的には、疑似連演出の仮停止表示における仮停止図柄と、保留報知演出において最終的に確定表示される最終停止図柄とを、ターゲット図柄に応じて決定することとしてもよい。この場合、保留報知演出の変動パターン等の情報に基づいて疑似連演出における仮停止の回数を特定し、特定した回数を考慮して、疑似連演出の行われる１回の保留報知演出において順に期待値が上昇するか、同じ期待値を示すように、仮停止図柄および最終停止図柄を決定してよい。これにより、図柄連続予告演出の興趣をより向上できる。
【０１５６】
上記の実施形態では、ターゲット演出の期待値を、第一演出図柄、第二演出図柄および第三演出図柄によって三段階に区分して示しているが、期待値の区分の数はこれに限られず、二段階であっても、四段階以上であってもよい。
【０１５７】
上記実施形態において、表示画面２８はＬＣＤからなるが、表示画面２８の構成はこれに限られず、例えば、７セグメントＬＥＤ、ドットＬＥＤ等を用いた種々の表示器が表示画面２８に用いられてよい。
【０１５８】
上記実施形態において、報知演出において変動を開始した演出図柄８０は、左→中→右の順に停止して確定表示に至るが、演出図柄８０の変動および確定の態様はこれに限られない。例えば、報知演出において変動を開始した演出図柄８０は、左→右→中の順に停止して確定表示に至ってもよい。即ち、リーチ状態が左図柄と右図柄の２つの図柄の組合せによって構成され、最終停止図柄が中図柄とされてもよい。
【０１５９】
上記実施形態では、ターゲット保留が取得された時点において実行されている報知演出においては、最終停止図柄の決定を行わず、次回以降の報知演出から図柄連続予告演出を開始しているが、図柄連続予告演出の開始タイミングはこれに限られない。例えば、ターゲット保留が取得された時点から、実行中の報知演出が終了するまでの時間を特定し、特定した時間が所定時間以上であれば、実行中の報知演出の最終停止図柄を、ターゲット図柄に応じて決定することとしてもよい。この場合、上記の所定時間は、ターゲット図柄に応じた最終停止図柄を決定し、且つ、決定した最終停止図柄を用いて実行中の報知演出の終了時に確定表示するために必要な時間を元に、任意に設定してよい。
【０１６０】
上記実施形態では、先読み大当たりターゲット図柄決定テーブルに基づいて、大当たり種別先読み情報が「１６Ｒ確変」を示す場合に第一演出図柄が、「８Ｒ確変」を示す場合に第二演出図柄が、「８Ｒ通常」を示す場合に第三演出図柄が、それぞれターゲット演出の確定表示態様に用いられることが決定される。例えば、図柄連続予告演出が行われない報知演出において大当たりの判定結果が報知される場合においては、大当たり種別と演出図柄８０とが上記の対応によって決定されてもよいし、決定されなくてもよい。例えば、図柄連続予告演出が行われない報知演出において、確定表示態様において第二演出図柄である「１」を示す演出図柄８０が左図柄・中図柄・右図柄に用いられた場合に、「１６Ｒ確変」の大当たり種別による大当たり遊技が実行されてもよい。
【０１６１】
上記実施形態では、ターゲット先読み情報のうち大当たり乱数先読み情報が先読みはずれを示す場合（Ｓ１７８：ＮＯ）には、変動パターン先読み情報が「非リーチ」以外の変動パターンを示す場合に（Ｓ１８２：ＮＯ）、ターゲット図柄が決定されて（Ｓ１８３）、ターゲット図柄に応じた図柄連続予告演出が実行される。例えば、ターゲット先読み情報のうち、大当たり乱数先読み情報が先読みはずれであり、且つ変動パターン先読み情報が「非リーチ」の変動パターンを示す場合において、所謂ガセ演出として図柄連続予告演出が行われてもよい。ガセ演出としての図柄連続予告演出は、ターゲット演出に相当する保留報知演出の後に行われる報知演出において、リーチ状態が構成されない点において、上記実施形態の図柄連続予告演出と異なる。この場合、例えば、ターゲット先読み情報のうち大当たり乱数先読み情報が先読みはずれを示し（Ｓ１７８：ＮＯ）、且つ変動パターン先読み情報が「非リーチ」の変動パターンを示す場合（Ｓ１８２：ＹＥＳ）、ガセ演出としての図柄連続予告演出を行うか否かを決定する。この決定は、例えばガセ演出としての図柄連続予告演出を実行するか否かを決定する所定の乱数に基づく抽選によって行ってよい。そして、当該抽選に当選した場合には、例えばシナリオテーブルまたは最終停止図柄決定テーブルを用いた所定のルールに基づいて、保留報知演出に用いる演出図柄８０を決定して、ガセ演出としての図柄連続予告演出を実行してよい。この場合、ターゲット演出に相当する保留報知演出の後に行われる報知演出においてリーチ状態が構成されない場合であっても、保留報知演出において連続してリーチ演出を行うことができるので、パチンコ機１は、遊技者の期待感を向上させる機会を増やすことができる。
【０１６２】
上記実施形態では、Ｓ１８４の処理において「Ｎ」の値をターゲット演出よりも前に実行される保留報知演出の回数を示すように設定する。その後は、特別図柄停止コマンドを受信する毎に「Ｎ」の値から「１」を減算することで（Ｓ１６４）、ターゲット演出よりも前に実行される保留報知演出の回数を把握している。例えば、大当たり遊技開始コマンドを受信した場合に（Ｓ１６８：ＹＥＳ）、「Ｎ」の値を「０」にクリアするとともに、連続予告フラグを「ＯＦＦ」にすることとしてもよい。例えば、何らかの理由で「Ｎ」の値の計数にエラーが生じたような場合であっても、大当たり遊技開始コマンドを受信する毎に「Ｎ」の値をクリアし、連続予告フラグを「ＯＦＦ」にする機会が得られるので、パチンコ機１は、図柄連続予告演出を円滑に制御できる。
【０１６３】
請求項、明細書および図面に記載される全ての要素（例えば、演出装置、図柄表示部、電動役物、入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。例えば、「表示画面」は、ハード単体でも、ソフトを含んだものであっても構わない。更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【０１６４】
１    パチンコ機
２    遊技盤
１４    第一始動口
１５    第二始動口
４１    主基板
５１    ＣＰＵ
５２    ＲＡＭ
５３    ＲＯＭ
５８    サブ制御基板
５８１    ＣＰＵ
５８２    ＲＡＭ
５８３    ＲＯＭ
【図１】
2019209214.tif 000003
【図２】
2019209214.tif 000004
【図３】
2019209214.tif 000005
【図４】
2019209214.tif 000006
【図５】
2019209214.tif 000007
【図６】
2019209214.tif 000008
【図７】
2019209214.tif 000009
【図８】
2019209214.tif 000010
【図９】
2019209214.tif 000011
【図１０】
2019209214.tif 000012
【図１１】
2019209214.tif 000013
【図１２】
2019209214.tif 000014
【図１３】
2019209214.tif 000015
【図１４】
2019209214.tif 000016
【図１５】
2019209214.tif 000017
【図１６】
2019209214.tif 000018
【図１７】
2019209214.tif 000019
【図１８】
2019209214.tif 000020
【図１９】
2019209214.tif 000021
【図２０】
2019209214.tif 000022
【図２１】
2019209214.tif 000023
【図２２】
2019209214.tif 000024
【図２３】
2019209214.tif 000025
【図２４】
2019209214.tif 000026
【図２５】
2019209214.tif 000027
【図２６】
2019209214.tif 000028